(57)【要約】【課題】目的とするコンテンツを容易に探し出すことができるようにする。【解決手段】予定表の各日付の欄には、予定の内容とともに、その日を作成日とするコンテンツがあることを表すアイコン、予定表日が設定されていることを表すアイコンが表示される。予定表上のカーソル５９１がアイコンの表示されている日付の欄に移動したとき、サムネイル表示領域２４１のサムネイル画像の表示が切り替えられる。例えば、カーソル５９１が表示されている日付を予定表日とするコンテンツのサムネイル画像、その日付に近い日付を作成日とするコンテンツのサムネイル画像が表示されるように、表示が切り替えられる。本発明は、PDA、携帯電話機、パーソナルコンピュータなどのコンテンツと予定表を扱う情報処理装置に適用することができる。【選択図】図３１
2005228086.tif 000002
【特許請求の範囲】
【請求項１】
各日付の予定が表示される第１の領域の表示を制御する第１の表示制御手段と、
コンテンツを表す画像が配列して表示される第２の領域の表示を制御する第２の表示制御手段と、
ユーザ操作に応じて、前記第１の領域に表示される所定の１日の予定に前記第２の領域に配列して表示されるものの中から選択された前記画像を貼り付ける貼り付け手段と、
所定の日付と、コンテンツを関連付ける関連付け手段と
を備え、
前記第２の表示制御手段は、前記第１の領域に表示される日付の中から前記所定の日付が選択されたとき、前記所定の日付に関連付けられた前記コンテンツを表す前記画像を前記第２の領域に表示させる
ことを特徴とする情報処理装置。
【請求項２】
前記コンテンツを記憶する記憶手段をさらに備える
ことを特徴とする請求項１に記載の情報処理装置。
【請求項３】
前記第１の表示制御手段は、月単位、週単位、または日単位で、ユーザにより登録された各日付の予定を前記第１の領域に表示させる
ことを特徴とする請求項１に記載の情報処理装置。
【請求項４】
前記第１の表示制御手段は、前記第１の領域を構成する、前記関連付け手段により前記コンテンツが関連付けられた前記所定の日付の領域に、前記コンテンツが関連付けられていることを表すアイコンをさらに表示させる
ことを特徴とする請求項１に記載の情報処理装置。
【請求項５】
前記第２の表示制御手段は、前記関連付け手段により前記所定の日付が関連付けられていないコンテンツを表す画像を、コンテンツの作成日順に、前記第２の領域に配列して表示させる
ことを特徴とする請求項１に記載の情報処理装置。
【請求項６】
前記第２の表示制御手段は、前記所定の日付が関連付けられた前記コンテンツを表す前記画像と、前記所定の日付と同じ日を作成日とする、前記所定の日付が関連付けられていない前記コンテンツを表す前記画像とを前記第２の領域に表示させるとき、前記所定の日付が関連付けられた前記コンテンツを表す前記画像を優先表示させる
ことを特徴とする請求項１に記載の情報処理装置。
【請求項７】
各日付の予定が表示される第１の領域の表示を制御する第１の表示制御ステップと、
コンテンツを表す画像が配列して表示される第２の領域の表示を制御する第２の表示制御ステップと、
ユーザ操作に応じて、前記第１の領域に表示される所定の１日の予定に前記第２の領域に配列して表示されるものの中から選択された前記画像を貼り付ける貼り付けステップと、
所定の日付と、コンテンツを関連付ける関連付けステップと、
前記第１の領域に表示される日付の中から前記所定の日付が選択されたとき、前記所定の日付に関連付けられた前記コンテンツを表す前記画像を前記第２の領域に表示させる第３の表示制御ステップと
を含むことを特徴とする情報処理方法。
【請求項８】
各日付の予定が表示される第１の領域の表示を制御する第１の表示制御ステップと、
コンテンツを表す画像が配列して表示される第２の領域の表示を制御する第２の表示制御ステップと、
ユーザ操作に応じて、前記第１の領域に表示される所定の１日の予定に前記第２の領域に配列して表示されるものの中から選択された前記画像を貼り付ける貼り付けステップと、
所定の日付と、コンテンツを関連付ける関連付けステップと、
前記第１の領域に表示される日付の中から前記所定の日付が選択されたとき、前記所定の日付に関連付けられた前記コンテンツを表す前記画像を前記第２の領域に表示させる第３の表示制御ステップと
を含むことを特徴とするコンピュータが読み取り可能なプログラム。
【発明の詳細な説明】
【技術分野】
【０００１】
本発明は、情報処理装置および方法、並びにプログラムに関し、特に、目的とするコンテンツを容易に探し出すことができるようにする情報処理装置および方法、並びにプログラムに関する。
【背景技術】
【０００２】
パーソナルコンピュータのOS(Operating System)として普及しているWindows（登録商標）のエクスプローラ機能で見ることができるように、ほとんどのコンテンツデータ（以下、単にコンテンツという）には、その属性情報として、作成日等の日付情報が付加されている。
【０００３】
そのため、ユーザは、例えば、あるフォルダ内に格納されたコンテンツを作成日順に並べ替えるなどのエクスプローラの機能を利用し、作成日をキーとして目的とするコンテンツを探し出したりすることができる。
【０００４】
ところで、コンテンツの種類によっては、作成日順に並べ替えた場合でも、その並び替えた結果から目的とするコンテンツを容易に探し出すことができないものがある。
【０００５】
例えば、ある日に行われる会議で必要とする資料のコンテンツなどの、ユーザが自ら作成するコンテンツの場合、会議の日の前日にそれを準備すると、作成日として会議日とは異なる日が設定される。また、会議の日の後日、誤字等に修正を加えた場合、作成日として修正日が設定される。
【０００６】
従って、属性情報として付加される作成日に、コンテンツを検索する際にキーとして用いようとする会議日とは異なる日が設定されることから、会議の前後に、会議日をキーとしてコンテンツを探し出そうとする場合、それが思うようにできないことがある。
【０００７】
静止画のような、編集などを行わなければ一度設定された作成日（撮影日）が変更することがないような種類のコンテンツの場合は、大体、作成日をキーとしてコンテンツを探し出すことができるが、ユーザが作成するコンテンツの場合は、それが困難なことがある。
【０００８】
そこで、このような操作性の悪さを解消するために、上述したような会議日にコンテンツを対応付けることで、会議日から、必要とするコンテンツを確実に探し出すことができるようにする技術が提案されている（例えば、特許文献１）。
【０００９】
特許文献１には、画像データをユーザにより入力されたスケジュールに対応付けて記憶させておき、所定の日になったとき、その日に対応付けられている画像を表示させる技術が記載されている。
【００１０】
また、特許文献２には、記憶されている撮影画像を所定の撮影期間毎に分類し、分類した画像の一覧を表示させる技術が記載されている。
【特許文献１】特開平１０−９７５０２号公報
【特許文献２】特開平１１−２１５４５７号公報
【発明の開示】
【発明が解決しようとする課題】
【００１１】
しかしながら、特許文献１等に記載されている技術によっては、ユーザは、直感的な操作で、ある日付にコンテンツを関連付けることができないという課題があった。
【００１２】
また、日付が一覧表示される画面からは、スケジュールの内容とともに、それぞれの日付に関連付けられているコンテンツがあることを確認することができないことから、スケジュールの内容をもキーとしてコンテンツを探し出すことができないという課題があった。
【００１３】
本発明はこのような状況に鑑みてなされたものであり、コンテンツを容易に探し出すことができるようにするものである。
【課題を解決するための手段】
【００１４】
本発明の情報処理装置は、各日付の予定が表示される第１の領域の表示を制御する第１の表示制御手段と、コンテンツを表す画像が配列して表示される第２の領域の表示を制御する第２の表示制御手段と、ユーザ操作に応じて、第１の領域に表示される所定の１日の予定に第２の領域に配列して表示されるものの中から選択された画像を貼り付ける貼り付け手段と、所定の日付と、コンテンツを関連付ける関連付け手段とを備え、第２の表示制御手段は、第１の領域に表示される日付の中から所定の日付が選択されたとき、所定の日付に関連付けられたコンテンツを表す画像を第２の領域に表示させることを特徴とする。
【００１５】
本発明の情報処理装置は、コンテンツを記憶する記憶手段をさらに備えるようにすることができる。
【００１６】
第１の表示制御手段は、月単位、週単位、または日単位で、ユーザにより登録された各日付の予定を第１の領域に表示させるようにすることができる。
【００１７】
第１の表示制御手段は、第１の領域を構成する、関連付け手段によりコンテンツが関連付けられた所定の日付の領域に、コンテンツが関連付けられていることを表すアイコンをさらに表示させるようにすることができる。
【００１８】
第２の表示制御手段は、関連付け手段により所定の日付が関連付けられていないコンテンツを表す画像を、コンテンツの作成日順に、第２の領域に配列して表示させるようにすることができる。
【００１９】
第２の表示制御手段は、所定の日付が関連付けられたコンテンツを表す画像と、所定の日付と同じ日を作成日とする、所定の日付が関連付けられていないコンテンツを表す画像とを第２の領域に表示させるとき、所定の日付が関連付けられたコンテンツを表す画像を優先表示させるようにすることができる。
【００２０】
本発明の情報処理方法は、各日付の予定が表示される第１の領域の表示を制御する第１の表示制御ステップと、コンテンツを表す画像が配列して表示される第２の領域の表示を制御する第２の表示制御ステップと、ユーザ操作に応じて、第１の領域に表示される所定の１日の予定に第２の領域に配列して表示されるものの中から選択された画像を貼り付ける貼り付けステップと、所定の日付と、コンテンツを関連付ける関連付けステップと、第１の領域に表示される日付の中から所定の日付が選択されたとき、所定の日付に関連付けられたコンテンツを表す画像を第２の領域に表示させる第３の表示制御ステップとを含むことを特徴とする。
【００２１】
本発明のプログラムは、各日付の予定が表示される第１の領域の表示を制御する第１の表示制御ステップと、コンテンツを表す画像が配列して表示される第２の領域の表示を制御する第２の表示制御ステップと、ユーザ操作に応じて、第１の領域に表示される所定の１日の予定に第２の領域に配列して表示されるものの中から選択された画像を貼り付ける貼り付けステップと、所定の日付と、コンテンツを関連付ける関連付けステップと、第１の領域に表示される日付の中から所定の日付が選択されたとき、所定の日付に関連付けられたコンテンツを表す画像を第２の領域に表示させる第３の表示制御ステップとを含むことを特徴とする。
【００２２】
本発明の情報処理装置および方法、並びにプログラムにおいては、各日付の予定が表示される第１の領域の表示が制御され、コンテンツを表す画像が配列して表示される第２の領域の表示が制御される。また、ユーザ操作に応じて、第１の領域に表示される所定の１日の予定に第２の領域に配列して表示されるものの中から選択された画像が貼り付けられ、所定の日付と、コンテンツが関連付けられる。さらに、第１の領域に表示される日付の中から所定の日付が選択されたとき、所定の日付に関連付けられたコンテンツを表す画像が第２の領域に表示される。
【発明の効果】
【００２３】
本発明によれば、ユーザは、コンテンツを容易に探し出すことができる。
【００２４】
また、本発明によれば、あるデータに、コンテンツを容易に関連付けることができる。
【発明を実施するための最良の形態】
【００２５】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２６】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００２７】
請求項１に記載の情報処理装置（例えば、図１のPDA１）は、各日付の予定が表示される第１の領域（例えば、図２６の予定入力領域３０１）の表示を制御する第１の表示制御手段（例えば、図３５のデータベース表示制御部４０２）と、コンテンツを表す画像が配列して表示される第２の領域（例えば、図２６のサムネイル表示領域２４１）の表示を制御する第２の表示制御手段（例えば、図３５のサムネイル画像表示制御部４１３）と、ユーザ操作に応じて、前記第１の領域に表示される所定の１日の予定に前記第２の領域に配列して表示されるものの中から選択された前記画像を貼り付ける貼り付け手段（例えば、サムネイル画像のドラッグアンドドロップにより、１日の予定表に、サムネイル画像を貼り付ける図３６のデータベース構成情報管理部４０１）と、所定の日付と、コンテンツを関連付ける第２の関連付け手段（例えば、コンテンツに予定表日を設定する図３５のコンテンツ管理部６５１）とを備え、前記第２の表示制御手段は、前記第１の領域に表示される日付の中から前記所定の日付が選択されたとき、前記所定の日付に関連付けられた前記コンテンツを表す前記画像を前記第２の領域に表示させることを特徴とする。
【００２８】
請求項２に記載の情報処理装置は、前記コンテンツを記憶する記憶手段（例えば、図５のMS３）をさらに備えることを特徴とする。
【００２９】
請求項３に記載の情報処理装置の第１の表示制御手段は、月単位、週単位、または日単位で、ユーザにより登録された各日付の予定を前記第１の領域に表示させることを特徴とする。
【００３０】
請求項４に記載の情報処理装置の第１の表示制御手段は、前記第１の領域を構成する、前記関連付け手段により前記コンテンツが関連付けられた前記所定の日付の領域に、前記コンテンツが関連付けられていることを表すアイコン（例えば、図３１のアイコン６０４）をさらに表示させることを特徴とする。
【００３１】
請求項５に記載の情報処理装置の第２の表示制御手段は、前記関連付け手段により前記所定の日付が関連付けられていないコンテンツを表す画像を、コンテンツの作成日順に、前記第２の領域に配列して表示させる（例えば、図３２に示されるように左から右方向に作成日順に表示させる）ことを特徴とする。
【００３２】
請求項６に記載の情報処理装置の第２の表示制御手段は、前記所定の日付が関連付けられた前記コンテンツを表す前記画像（例えば、図３３の予定表日（２６日）が設定された画像）と、前記所定の日付と同じ日を作成日とする、前記所定の日付が関連付けられていない前記コンテンツを表す前記画像（例えば、図３３の右側の２つの画像）とを前記第２の領域に表示させるとき、前記所定の日付が関連付けられた前記コンテンツを表す前記画像を優先表示させることを特徴とする。
【００３３】
請求項７に記載の情報処理方法は、各日付の予定が表示される第１の領域（例えば、図２６の予定入力領域３０１）の表示を制御する第１の表示制御ステップ（例えば、図２３のステップＳ２）と、コンテンツを表す画像が配列して表示される第２の領域（例えば、図２６のサムネイル表示領域２４１）の表示を制御する第２の表示制御ステップ（例えば、図２４のステップＳ２３）と、ユーザ操作に応じて、前記第１の領域に表示される所定の１日の予定に前記第２の領域に配列して表示されるものの中から選択された前記画像を貼り付ける貼り付けステップ（例えば、図２３のステップＳ７）と、所定の日付と、コンテンツを関連付ける関連付けステップ（例えば、図３８のステップＳ３０６）と、前記第１の領域に表示される日付の中から前記所定の日付が選択されたとき、前記所定の日付に関連付けられた前記コンテンツを表す前記画像を前記第２の領域に表示させる第３の表示制御ステップ（例えば、図４０のステップＳ３４９）とを含むことを特徴とする。
【００３４】
請求項８に記載のプログラムにおいても、各ステップが対応する実施の形態（但し一例）は、請求項７に記載の情報処理方法と同様である。
【００３５】
以下、本発明の実施の形態について図を参照して説明する。
【００３６】
本発明を適用したPDA(Personal Digital Assistants)１の外観を図１乃至図４に示す。図１および図２はPDA１の本体正面側の外観を示す斜視図であり、図３および図４は本体背面側の外観を示す斜視図である。
【００３７】
PDA１は、図２に示される中央のヒンジ部１２を境に、表示部１１と本体部１３とに分けられており、ヒンジ部１２を介して折り畳み可能に形成されている（折り畳んだ状態を図１に示す）。
【００３８】
図２に示されるように、表示部１１の面１１−１のほぼ全面には、LCD（Liquid Crystal Display）２８、および、LCD２８の上に積層された透明なタッチパネル３６が設けられている。すなわち、ユーザが、指先や図１のスタイラス２の先端をLCD２８上の任意の位置に接触させると、その座標がタッチパネル３６により検出され、検出された座標に対応する所定の処理が行われる。
【００３９】
ヒンジ部１２には、CCD（Charge Coupled Device）等よりなるカメラ部２１が設けられている。
【００４０】
PDA１を折り畳んだときに面１１−１（表示部１１）に対向する面となる本体部１３の上面１３−１には、PDA１にインストールされている、例えば、スケジュール管理用のプログラム、電話帳管理用のプログラム等のアプリケーションプログラムのそれぞれを表すシンボルが印刷されたボタン３２が設けられている。ユーザによりボタン３２が押下されたとき、それに対応するアプリケーションプログラムが起動される。
【００４１】
また、上面１３−１のボタン３２が配置されている領域の中央部には、LCD２８に表示されている画面を上下方向にスクロールさせるためのスクロールボタン３３が設けられている。さらに、上面１３−１のボタン３２、スクロールボタン３３の下方には、文字、記号、数字等を入力するためのキーボード３４が設けられている。
【００４２】
本体部１３の右側面１３−２には、不揮発性半導体メモリの一種であるメモリースティック（商標）（以下、MSと記述する）３を装着可能なMSスロット４１が設けられている（図１）。なお、MSスロット４１には、例えば、Bluetooth（商標）による通信機能拡張モジュールなどの、MS３と同じ形状の機能拡張モジュールを装着させることも可能である。
【００４３】
図３に示されるように、本体部１３の左側面１３−３には、本体部１３に電力を供給するリチウムイオン電池などからなるリムーバブルメインバッテリ１６２（図５）を着脱するときに開閉するバッテリ蓋２６が設けられている。また、左側面１３−３には、押下および回転自在なジョグダイヤル２５が当該側面から僅かに突出した状態で設けられている。
【００４４】
本体部１３の背面１３−４には、不揮発性半導体メモリの一種であるコンパクトフラッシュ（登録商標）（以下、CFと記述する）４を装着可能なCFスロット４２が設けられている。CFスロット４２は、図４に示すように、CF４を装着するときには当該背面からポップアップするようになされている。なお、CFスロット４２には、例えば、PHS(Personal Handy Phone)による通信機能拡張モジュールなどの、CF４と同じ形状の機能拡張モジュールを装着させることも可能である。
【００４５】
本体部１３の下端面１３−５（図２）には、リムーバブルメインバッテリ１６２に対して充電を行うクレードル９１（図５）等の付属機器を接続するためのコネクタ６７が設けられている。
【００４６】
図５は、以上のような外観構成を有するPDA１の内部の構成例について示すブロック図である。
【００４７】
CPU(Central Processing Unit)１３１は、ROM(Read Only Memory)１３２に記憶されているプログラム、または記憶部１３９からRAM(Random Access Memory)１３３にロードされたアプリケーションプログラムに従って各種の処理を実行する。RAM１３３にはまた、CPU１３１が各種の処理を実行する上において必要なデータなども適宜記憶される。
【００４８】
CPU１３１、ROM１３２、およびRAM１３３は、CPUインタフェース１３５を介して相互に接続されている。CPUインタフェース１３５には、LCD２８に対する画面の表示を制御する表示制御部１３６も接続されている。
【００４９】
表示制御部１３６には、カメラ部２１、LCD２８の他、VRAM１３８も接続されている。表示制御部１３６は、CPU１３１による制御に基づいて、カメラ部２１により撮像された画像をVRAM１３８に記憶させ、そのVRAM１３８に記憶させている画像や、他のメモリ（MS３、CF４、RAM１３３、記憶部１３９）に記憶されている画像をLCD２８に表示させる。VRAM１３８には、カメラ部２１により撮像された画像の他、LCD２８に表示させる画像も記憶される。
【００５０】
また、CPUインタフェース１３５には、ジョグダイヤル２５、ボタン３２、スクロールボタン３３、およびキーボード３４等からなる入力部１３７、タッチパネル３６、赤外線通信ポート６２、MSスロット４１およびCFスロット４２に相当するスロットI/F６４、リムーバブルメインバッテリ１６２およびバックアップバッテリ１６３を充電させるとともに、他の外部装置１５２との通信の中継装置となるクレードル９１等が接続されるコネクタ６７、並びに、マイクロフォン１４２で集音された音声をディジタルデータに変換する音声処理部１４１が接続されている。
【００５１】
なお、タッチパネル３６により検出された座標を表す情報は、CPUインタフェース１３５を介してCPU１３１に供給される。
【００５２】
さらに、CPUインタフェース１３５には、EEPROM(Electrically Erasable and Programmable Read Only Memory)またはハードディスクなどより構成される記憶部１３９が接続される。記憶部１３９は、PDA１に対して着脱可能な記憶媒体であるMS３やCF４とは異なり、PDA１が内蔵するメモリである。
【００５３】
CPUインタフェース１３５には、Bluetooth等の規格に準拠した無線通信を行う無線通信部１４６、および、FeliCa（商標）のようなICカードに対して非接触でデータを読み書きする非接触ICカードインタフェース（I/F）１４７が接続されている。
【００５４】
外部装置１５２に適宜装着される磁気ディスク、光ディスク、光磁気ディスク、あるいは半導体メモリなどから読み出されたアプリケーションプログラムは、赤外線ポート６２を介して行われる赤外線通信、無線通信部１４６を介して行われる無線通信、または、クレードル９１を介して行われる有線の通信等により、必要に応じてPDA１に対して供給され、記憶部１３９にインストールされる。または、スロットI/F６４に適宜装着されるMS３やCF４から読み出されたアプリケーションプログラムも、必要に応じて記憶部１３９にインストールされる。
【００５５】
CPUインタフェース１３５には、表示部１１が本体部１３に対して閉じた状態の場合、オン状態となり、表示部１１が本体部１３に対して開いた状態の場合、オフ状態となるLCD開閉スイッチ１４４、および、表示部１１が所定の角度以上回動された場合にオン状態となるLCD回転スイッチ１４５が設けられている。
【００５６】
また、CPUインタフェース１３５には、リムーバブルメインバッテリ１６２が装着されるメインバッテリ装着部１６１、およびリムーバブルメインバッテリ１６２が取り外されたときの予備電源となる、充電式ボタン電池等から成るバックアップバッテリ１６３が接続されている。
【００５７】
図６は、LCD２８に表示されるメイン画面の例を示す図である。
【００５８】
PDA１を用いて行われる各種の操作は、基本的には、このメイン画面から開始される。メイン画面は、標準表示領域２０１、シルク領域２０２、およびステータス領域２０３からなる。
【００５９】
標準表示領域２０１には、アプリケーションプログラム（ソフトウエア）が実行されているときには、その実行中のアプリケーションプログラムの画面が表示される。また、アプリケーションプログラムが実行されていないときには、図６に示されるように、インストールされているアプリケーションプログラムのそれぞれに対応するアプリケーションアイコン２０４が表示される（ただし、厳密には、このときにおいても、アプリケーションプログラムが全く実行されていないわけではなく、アプリケーションアイコン２０４を表示し、ユーザに選択させるためのアプリケーションプログラムが実行されている）。
【００６０】
図６においては、アプリケーションアイコン２０４として、メモを作成するアプリケーションを実行するときにタップ（スタイラス２の先端でLCD２８の表面が押下）されるメモ帳アイコン２０４Ａ、予定を管理するアプリケーションを実行するときにタップされる予定表アイコン２０４Ｂが表示されている。
【００６１】
シルク領域２０２には、実行中のシルクプラグインに対応するユーザインタフェース（ユーザによる入力用の領域）が表示される。なお、実行されるアプリケーションによっては、シルク領域２０２の表示が消え、標準表示領域２０１とシルク領域２０２の全体に１つの画面が表示されることもある。
【００６２】
ステータス領域２０３には、例えば、バッテリ容量、MSスロット４１に対するMS３の装着の有無や、CFスロット４２に対するCF４の装着の有無、音量設定等の、PDA１の状態を示すステータスアイコン２０５や時刻等が表示される。
【００６３】
図７は、図６のメモ帳アイコン２０４Ａがタップされたときに表示される画面の例を示す図である。
【００６４】
図７に示されるメモの作成画面は、メモ帳アイコン２０４Ａがタップされたときに起動される、メモの作成を管理するソフトウエア（後述するデータベース処理ソフトウエア）によって表示される。
【００６５】
メモの作成画面は、ステータス領域２０３の他に、メモ作成領域２１１、メモを作成するためのツールを選択するときに操作される各種のボタンが表示されるツールボタン領域２１２から構成される。
【００６６】
ユーザは、スタイラス２の先端をメモ作成領域２１１に当て、その状態のままスタイラス２を移動させることで、任意の文字や記号などをメモ作成領域２１１に入力することができる。例えば、図８の曲線の画像２３１は、スタイラス２の先端が移動した軌跡を表し、このように、ユーザは、スタイラス２を用いてメモ作成領域２１１にメモをとることができる。
【００６７】
また、ユーザは、後に詳述するように、スタイラス２で文字や記号を入力するだけでなく、カメラ部２１で撮影した静止画や動画、或いは、録音した音声などの各種のコンテンツを表す画像を貼り付けることによってもメモを作成することができる（メモにコンテンツを関連付けることができる）。
【００６８】
図７のツールボタン領域２１２には、メモに貼り付けるコンテンツの一覧を表示させるときや、既に表示しているコンテンツの一覧を閉じるときに操作（タップ）される一覧表示ボタン２２１、メモ作成領域２１１に手書きの文字などを入力するときに操作されるペンボタン２２２が用意される。ユーザによりペンボタン２２２が操作されたとき、ペンモードが設定される。そのペンモードが設定されている間は、図８に示されるような手書きの入力をメモ作成領域２１１に対して行うことが可能となる。
【００６９】
また、ツールボタン領域２１２には、メモ作成領域２１１に一度入力した文字などを消すときに操作される消しゴムボタン２２３の他、各種のツールを選択するときに操作されるボタンも表示される。
【００７０】
図９は、図８の状態（コンテンツの一覧が表示されていない状態）で一覧表示ボタン２２１がタップされたときに表示される画面の例を示す図である。
【００７１】
一覧表示ボタン２２１がタップされたとき、図９に示されるように、ツールボタン領域２１２とステータス領域２０３の間の、それまでメモ作成領域２１１の一部を形成していた領域を含む領域であるサムネイル表示領域２４１が形成され、そこに、メモ作成領域２１１を利用して作成しているメモに貼り付けることができるコンテンツ（コンテンツの内容を表すサムネイル画像）の一覧が表示される。
【００７２】
サムネイル表示領域２４１に表示されるサムネイル画像は、コンテンツ本体のデータから生成されるものである。例えば、静止画コンテンツのサムネイル画像は、コンテンツ本体の静止画が縮小されることで生成され、動画コンテンツのサムネイル画像は、連続する画像の中から選択される、例えば、先頭の１フレーム（MPEG(Moving Picture Experts Group)方式で圧縮された動画コンテンツの場合、最初のＩ(Intra)ピクチャ）の画像が縮小されることで生成される。なお、音声コンテンツのサムネイル画像には、吹き出しの画像が用いられる。
【００７３】
図９の例においては、左から、「MOV000…」のファイル名が設定された動画コンテンツを表すサムネイル画像２５１、「031030…」のファイル名が設定された音声コンテンツを表すサムネイル画像２５２、「DSC0001」のファイル名が設定された静止画（風景画）コンテンツを表すサムネイル画像２５３、「DSC0002」のファイル名が設定された静止画（人物画）コンテンツを表すサムネイル画像２５４が表示されている。
【００７４】
これらのサムネイル画像で表されるコンテンツは、PDA１の内部のメモリである記憶部１３９やPDA１に装着されているMS３などに、その本体のデータが記憶されている。
【００７５】
例えば、図９の点線矢印で示されるように、左から３番目の静止画コンテンツのサムネイル画像２５３にスタイラス２を押し当て、その状態のままメモ作成領域２１１上の位置Ｐ1まで移動させ、そこで、スタイラス２の先端をLCD２８の表面から離すことで（ドラッグアンドドロップすることで）、ユーザは、サムネイル画像２５３を位置Ｐ1に貼り付けることができる。
【００７６】
図１０は、位置Ｐ1にサムネイル画像２５３が貼り付けられた状態の画面の例を示す図である。ユーザは、このように、一覧表示されるものの中からドラッグアンドドロップすることで、作成中のメモに、静止画などの各種のカテゴリのコンテンツのサムネイル画像を貼り付けることができる。なお、ユーザは、ペンモードが設定されている状態で、位置Ｐ1に貼り付けたサムネイル画像２５３をメモ作成領域２１１上の他の位置にさらに移動させることもできる。
【００７７】
例えば、ユーザは、「〜に行ったときの写真」などの手書きの文字をメモ作成領域２１１に入力しておき、そのメモに写真（静止画コンテンツ）のサムネイル画像を貼り付けておくことで、PDA１内にある写真を容易に分類することができる。この操作は、フォルダを新規に作成し、そこに写真などのコンテンツを格納することによって分類する場合に較べて直感的な操作であり、外出先などで、僅かな時間に気軽に操作するというPDA１の性質上、好ましい。
【００７８】
また、ユーザは、メモに貼り付けたサムネイル画像をタップすることで、そのサムネイル画像により内容が表されるコンテンツの再生を開始させることができる。
【００７９】
図１１は、図１０のサムネイル画像２５３をタップして、サムネイル画像２５３により内容が表される静止画コンテンツを再生（プレビュー）させたときの画面の例を示す図である。
【００８０】
サムネイル画像２５３がタップされたとき、静止画コンテンツのビューワ機能を有するソフトウエア（後述するコンテンツ処理ソフトウエア）が起動し、サムネイル画像２５３により内容が表される静止画コンテンツの本体のデータに基づいて、ステータス領域２０３以外の領域全体を用いて画像の表示が行われる。これにより、ユーザは、静止画コンテンツの詳細を容易に確認することができる。
【００８１】
なお、メモに貼り付けた動画コンテンツのサムネイル画像２５１をタップした場合も同様に、動画コンテンツの再生が行われ、図１１に示されるようなステータス領域２０３以外の領域を用いて画像が表示される。また、メモに貼り付けた音声コンテンツのサムネイル画像２５２をタップした場合、その音声コンテンツの再生が行われる。
【００８２】
図１２Ａ乃至Ｄは、以上のようにして作成されるメモの表示の階層構造について示す図である。
【００８３】
図１２Ａは、図１０のメモ作成領域２１１（上方に表示される数字と文字（「Unfiled」）を除く部分）に表示されている画面を示す図である。
【００８４】
図１２Ａの画面は複数の層から構成され、その複数の層のうちの最下層には、図１２Ｂに示されるような無地の層（図７のメモ作成領域２１１のように、何も入力されていない層）が配置される。
【００８５】
図１２Ｂの無地の層の上には、スタイラス２で入力された手書きの曲線の画像２３１を表示する層が配置され、その上（図１２Ａの画面を構成する最上層）には、サムネイル画像２５３を表示する層が配置される。サムネイル画像を表示する層は、複数のサムネイル画像がメモに貼り付けられた場合、貼り付けられた数だけ仮想的に配置される。
【００８６】
このように、メモの作成を管理するソフトウエアによりメモ作成領域２１１に表示される画面は、図１２Ｂ乃至Ｄの３つの層から構成される。この層の数は、後述する、予定表の作成を管理するソフトウエアによりメモ作成領域２１１に対応する領域に表示される画面を構成する層の数と異なる。
【００８７】
ここで、サムネイル表示領域２４１の表示の詳細について説明する。
【００８８】
図１３Ａは、図９のサムネイル表示領域２４１のみを示す図である。
【００８９】
サムネイル表示領域２４１の右上には、サムネイル画像表示部２７１に表示するサムネイル画像を、それが表すコンテンツのカテゴリに応じてフィルタリングするカテゴリ選択ボタン２６１乃至２６４が表示されている。
【００９０】
すなわち、一覧表示ボタン２２１を操作したとき、サムネイル画像表示部２７１には、メモ作成領域２１１で作成中のメモに貼り付けることができる全てのカテゴリのコンテンツのサムネイル画像が表示されるが、ユーザは、カテゴリ選択ボタン２６１乃至２６４を操作することで、サムネイル画像表示部２７１に表示されるサムネイル画像を制限することができる。
【００９１】
例えば、カメラの絵が付されたカテゴリ選択ボタン２６１が操作されたとき、サムネイル画像表示部２７１に表示されるサムネイル画像の中から、静止画コンテンツのサムネイル画像が除かれ（表示が消え）、フィルムの絵が付されたカテゴリ選択ボタン２６２が操作されたとき、動画コンテンツのサムネイル画像が除かれる。
【００９２】
また、ペンと紙の絵（メモ）が付されたカテゴリ選択ボタン２６３が操作されたとき、サムネイル画像表示部２７１に表示されるサムネイル画像の中から、メモのコンテンツを表すサムネイル画像が除かれる。
【００９３】
なお、PDA１においては、メモの作成中（メモの作成を管理するソフトウエアの実行中）は、その作成中のメモに、予め作成しておいた他のメモをコンテンツとして貼り付けることはできないこととされている。従って、メモの作成中は、サムネイル画像表示部２７１にメモのサムネイル画像が表示されないことから、カテゴリ選択ボタン２６３は操作不能とされる。
【００９４】
後述する予定表の作成を管理するソフトウエアの実行中は、作成中の予定表に、予め作成しておいたメモをコンテンツとして貼り付けることが可能とされ、カテゴリ選択ボタン２６３が操作された場合、サムネイル画像表示部２７１に表示されるサムネイル画像の中から、メモのサムネイル画像が除かれる。
【００９５】
カテゴリ選択ボタン２６３の右隣には、吹き出しの絵が付されたカテゴリ選択ボタン２６４が用意されている。カテゴリ選択ボタン２６４が操作されたとき、サムネイル画像表示部２７１に表示されるサムネイル画像の中から、音声コンテンツのサムネイル画像が除かれる。
【００９６】
図１３Ｂは、静止画、動画、音声のそれぞれのカテゴリのコンテンツのサムネイル画像が表示されている図１３Ａの状態から、カテゴリ選択ボタン２６２（動画コンテンツのサムネイル画像の表示を消すボタン）とカテゴリ選択ボタン２６４（音声コンテンツのサムネイル画像の表示を消すボタン）が操作された状態の表示を示す図である。
【００９７】
図１３Ｂに示されるように、サムネイル画像表示部２７１に表示するサムネイル画像の中から、動画と音声のコンテンツを表すサムネイル画像がフィルタリングによりカットされ、その表示が消される。
【００９８】
このように、サムネイル画像表示部２７１に表示させるサムネイル画像に、カテゴリに基づくフィルタリングをかけることができるため、ユーザは、貼り付けようとするコンテンツのサムネイル画像を迅速に探すことができる。
【００９９】
例えば、ある静止画コンテンツをメモに貼り付けようとしている場合、図１３Ｂに示されるように他のカテゴリのコンテンツのサムネイル画像を除いてから探すことで、ユーザは、貼り付けようとする静止画コンテンツのサムネイル画像を迅速に探すことができる。
【０１００】
以上のようにしてサムネイル画像表示部２７１に表示されるサムネイル画像からも、メモに貼り付けたサムネイル画像から、そのサムネイル画像により表されるコンテンツを再生させることができるのと同様に、コンテンツの再生を開始させることが可能とされる。
【０１０１】
例えば、図１３Ａに示されるように、静止画コンテンツのサムネイル画像２５３がカーソル２８１で選択されている状態でさらにタップされた場合、図１１を参照して説明したように、その静止画コンテンツがLCD２８に拡大表示される。すなわち、ビューワ機能を提供するソフトウエアが実行され、静止画コンテンツの表示が行われる。
【０１０２】
サムネイル画像表示部２７１の下には、サムネイル画像表示部２７１に表示させるサムネイル画像の範囲を切り替えるときに水平方向に操作されるスクロールバー２７２が表示され、その下には、カーソル２８１で選択されているコンテンツの名前等を表示するコンテンツ情報表示部２７３が表示される。
【０１０３】
なお、図１３Ａにおいて、動画コンテンツのサムネイル画像２５１上に表示されているMS３の外観を表す画像２５１Ａは、その動画コンテンツが外部のメモリであるMS３に記憶されているものであることを表している。また、フィルムの絵を表す画像２５１Ｂは、それが付されているサムネイル画像２５１が動画コンテンツのものであることを表している（静止画コンテンツのサムネイル画像と区別できるようになっている）。
【０１０４】
図１４は、図６の予定表アイコン２０４Ｂがタップされたときに表示される画面の例を示す図である。図１４において、図７と同じ部分には同一の符号を付している。
【０１０５】
予定表アイコン２０４Ｂがタップされたとき、予定表の作成を管理するソフトウエアが起動し、図１４に示されるような予定表の作成画面が表示される。
【０１０６】
予定表の作成画面は、ステータス領域２０３の他に、所定の間隔で時刻が表示される予定入力領域３０１、予定入力領域３０１の表示形式（週単位、月単位による表示形式）を変更するときに操作されるボタンなどが用意される表示切替領域３０２、予定表を作成するためのツールを選択するときに操作されるボタンが用意されるツールボタン領域３０３から構成される。
【０１０７】
ツールボタン領域３０３には、予定表に貼り付けるコンテンツのサムネイル画像の一覧を表示させるときに操作される一覧表示ボタン２２１、予定入力領域３０１に手書きの文字や記号などを入力するときに操作されるペンボタン２２２、一度入力した手書きの文字などを消すときに操作される消しゴムボタン２２３などの、図７のツールボタン領域２１２に用意されるものと同じボタンが用意される。
【０１０８】
また、ツールボタン領域３０３には、これらのボタンの他、予定入力領域３０１に入力した予定の１つの項目を選択し、その選択した項目を移動したり、内容を変更する手モードを選択するときに操作される手ボタン３１１が表示される。この手ボタン３１１は、上述したメモの作成時には用意されないボタンである。
【０１０９】
図１５は、図１４の画面に対して、ある予定が入力された状態の画面の例を示す図である。
【０１１０】
予定入力領域３０１の９時（９：００）の欄に入力された予定３２１（「会議」の文字が入力されている予定）は、例えば、ユーザにより手ボタン３１１が操作され、手モードが設定されてから入力されたものである。９時の時間帯が、予定を入力する時間帯としてスタイラス２で選択された場合、画面の下方には図６のシルク領域２０２が表示されるため、ユーザは、その領域を用いて予定を入力する（「会議」の文字を入力する）。
【０１１１】
なお、一覧表示ボタン２２１の右隣にあるボタンは、予定を新規に作成するときに操作されるボタンであり、このボタンが操作された場合も、手モードが設定された状態で時間帯が指定されたときと同様に、新たな予定を入力することが可能とされる。
【０１１２】
図１６は、図１５の状態の画面に対して、「重要！」の手書き文字と、予定３２１を指す矢印の画像からなる画像３３１が入力された状態の画面を示す図である。
【０１１３】
ペンボタン２２２を操作し、ペンモードを設定することによって、ユーザは、予定入力領域３０１に手書きの文字などを入力することができる。
【０１１４】
このように、予定表を作成する場合でも、ユーザは、所定の時間帯に予定の項目を入力するだけでなく、上述したメモを作成する場合と同様に手書きの文字を入力することができる。
【０１１５】
図１７は、図１６の状態（サムネイル画像の一覧が表示されていない状態）において、一覧表示ボタン２２１がタップされたときに表示される画面の例を示す図である。
【０１１６】
一覧表示ボタン２２１がタップされたとき、図１７に示されるように、ツールボタン領域３０３とステータス領域２０３の間の、それまで予定入力領域３０１の一部を形成していた領域を含む領域であるサムネイル表示領域２４１が形成され、そこに、予定入力領域３０１に貼り付けることができるコンテンツのサムネイル画像の一覧が表示される。
【０１１７】
例えば、音声コンテンツのサムネイル画像３５２をスタイラス２で選択し、図１７の点線矢印で示されるように、その状態のまま予定入力領域３０１上の位置Ｐ2まで移動させ、スタイラス２の先端をLCD２８の表面から離すことで、ユーザは、サムネイル画像３５２を位置Ｐ2に貼り付けることができる。
【０１１８】
図１８は、位置Ｐ2に音声コンテンツのサムネイル画像３５２が貼り付けられた状態の画面の例を示す図である。
【０１１９】
ユーザは、このように、一覧表示されるものの中からドラッグアンドドロップすることで、予定表に、各種のカテゴリのコンテンツのサムネイル画像を貼り付けることができる（予定表にコンテンツを関連付けることができる）。
【０１２０】
以上のようにしてサムネイル画像を予定表に貼り付けることができるため、ユーザは、例えば、９時からの会議（図１８の予定３２１の「会議」）が終了したとき、そのときに録音しておいた音声コンテンツのサムネイル画像３５１を予定３２１の周りに貼り付けておくことで、後から、その会議で録音した音声コンテンツを容易に探すことができる。
【０１２１】
そのサムネイル画像の貼り付けも、サムネイル表示領域２４１に表示されるものの中からドラッグアンドドロップするだけの非常に直感的な操作である。
【０１２２】
また、予定表に貼り付けたサムネイル画像３５１をタップすることで、そのサムネイル画像３５１により表される音声コンテンツの再生を開始させることができるため、ユーザは、会議で録音した音声を予定表から容易に再生させることができる。
【０１２３】
なお、図１７、図１８において、サムネイル画像３５３，３５４は、予め作成しておいたメモのサムネイル画像である。上述したように、予定表の作成時には、予め作成しておいたメモをコンテンツとして予定表に関連付けることができるため、メモのサムネイル画像もサムネイル表示領域２４１に表示される。
【０１２４】
図１９Ａ乃至Ｅは、以上のようにして作成される予定表の階層構造について示す図である。
【０１２５】
図１９Ａは、図１８の予定入力領域３０１（図１８の上方に表示される年月日と曜日（Ｓ，Ｍ，Ｔ，Ｗ，Ｔ，Ｆ，Ｓ）を除く部分）に表示される画面を示す図である。
【０１２６】
図１９Ａの画面も複数の層から構成され、そのうちの最下層には、図１９Ｂに示されるような時間帯を表示する層（図１４の予定入力領域３０１のように、何の予定も入力されていない予定表の層）が配置される。
【０１２７】
図１９Ｂの層の上には、図１９Ｃに示されるように、ユーザにより入力された予定３２１（図１９Ｂの９時の時間帯に入力された予定）を表示する層が配置され、その上には、図１９Ｄに示されるように、スタイラス２で入力された手書きの「重要！」の文字と、予定３２１を指す矢印の画像３３１を表示させる層が配置される。
【０１２８】
図１９Ｅに示されるように、図１９Ａの画面の最上層には、サムネイル画像３５２を表示させる層が配置される。
【０１２９】
このように、予定表の作成を管理するソフトウエアにより予定入力領域３０１に表示される画面は、図１９Ｂ乃至Ｅの４つの層から構成される。この層の数（４層）は、上述した、メモの作成を管理するソフトウエアにより表示される画面を構成する層の数（３層）と異なる。
【０１３０】
すなわち、サムネイル表示領域２４１に表示されるサムネイル画像の貼り付け先は、サムネイル画像の一覧と同時に表示される画面を用いて作成されるデータのカテゴリにより異なり、複数あるといえる。
【０１３１】
次に、以上のような画面表示を実現するソフトウエア構成について説明する。
【０１３２】
なお、以下において、メモの作成を管理するソフトウエアにより作成される１つのメモのファイルや、予定表の作成を管理するソフトウエアにより作成される１つの予定表のファイルをデータベースともいう。従って、コンテンツの貼り付け先や手書きの文字の入力先はデータベースとなる。
【０１３３】
図２０は、PDA１に用意されるソフトウエアの例を示すブロック図である。
【０１３４】
これらのソフトウエアは、内蔵のメモリである記憶部１３９（図５）などに記憶されている。PDA１には、複数のデータベース処理ソフトウエアからなるデータベース処理ソフトウエア群３６１、複数のコンテンツ処理ソフトウエアからなるコンテンツ処理ソフトウエア群３６２、サムネイル表示ソフトウエア３６３が用意されている。
【０１３５】
データベース処理ソフトウエア群３６１は、メモのデータベースの作成を管理するメモデータベース処理ソフトウエア３７１−１と、予定表のデータベースの作成を管理する予定表データベース処理ソフトウエア３７１−２から構成される。以下、メモデータベース処理ソフトウエア３７１−１と予定表データベース処理ソフトウエア３７１−２を個々に区別する必要がない場合、まとめてデータベース処理ソフトウエア３７１という。
【０１３６】
なお、図２０においては、データベース処理ソフトウエアは２つしか用意されていないが、実際には、図６の画面にアプリケーションアイコン２０４が用意されているソフトウエアであって、データベースの作成に関するソフトウエア毎にデータベース処理ソフトウエアが用意される。
【０１３７】
データベース処理ソフトウエア３７１は、データベースの作成機能をユーザに提供し、例えば、スタイラス２による手書き文字の入力や、サムネイル画像の貼り付けを受け付け、データベースを作成する。
【０１３８】
データベース処理ソフトウエア３７１は、データベース毎に、図２１に示されるようなデータベースの構成を表すデータベース構成情報を用いてその作成を管理する。
【０１３９】
図２１の例においては、データベースに貼り付けられたサムネイル画像により表されるコンテンツ等の種類、サムネイル画像のリンク先（コンテンツ本体のデータの記憶場所）、サムネイル画像が貼り付けられたデータベース上の位置を表す座標、コンテンツに関するその他の情報がデータベース構成情報により表されている。
【０１４０】
サムネイル画像が貼り付けられたり、手書き文字が入力される毎に、これらの情報がデータベース構成情報に登録される。図２１の例においては、データベース構成情報の２段目に、あるデータベースに入力された手書き文字のリンク先はリンク情報＃１であり、入力位置は座標（ｘ1，ｙ1）であることが登録されている。また、手書き文字の幅Ｗ1、高さｈ1とともに、その他の情報として、手書き文字の色、ペンの太さ等が登録されている。
【０１４１】
同様に、同じデータベースに貼り付けられた動画コンテンツ、静止画コンテンツ、テキスト、音声コンテンツのそれぞれのサムネイル画像のリンク情報、位置、幅、高さ、その他の情報も登録されている。なお、図２１においてデータベースに入力されたものとして示されている「テキスト」は、例えば、予定表のデータベースに入力された予定である。また、データベース構成情報に登録される「座標」は、例えば、サムネイル画像の左上隅の座標である。
【０１４２】
図２０の説明に戻り、データベース処理ソフトウエア３７１により管理されているデータベース３９１にはコンテンツ＃１乃至＃３が関連付けられている（コンテンツ＃１乃至＃３のそれぞれのサムネイル画像がデータベース３９１に貼り付けられている）。
【０１４３】
すなわち、この場合、データベース処理ソフトウエア３７１は、データベース構成情報を用いて、データベース３９１に関連付けられているコンテンツ＃１乃至＃３のコンテンツの種類、サムネイル画像のリンク情報、貼り付け位置、その他の情報を管理している。
【０１４４】
データベース処理ソフトウエア３７１は、データベース３９１に貼り付けられたサムネイル画像がタップされ、コンテンツの再生が指示されたとき、コンテンツ処理ソフトウエア群３６２を構成するコンテンツ処理ソフトウエアのいずれかにコンテンツの再生を要求する。
【０１４５】
また、データベース処理ソフトウエア３７１は、ユーザにより一覧表示ボタン２２１が操作され、作成中のデータベース３９１に貼り付けるサムネイル画像の一覧の表示が指示されたとき、そのことをサムネイル表示ソフトウエア３６３に通知し、サムネイル画像の一覧を表示させる。
【０１４６】
コンテンツ処理ソフトウエア群３６２は、静止画コンテンツの再生（プレビュー）を管理する静止画コンテンツ処理ソフトウエア３８１−１、動画コンテンツの再生を管理する動画コンテンツ処理ソフトウエア３８１−２、音声コンテンツの再生を管理する音声コンテンツ処理ソフトウエア３８１−３、コンテンツとして用意されているメモの再生（プレビュー）を管理するメモコンテンツ処理ソフトウエア３８１−４から構成される。以下、静止画コンテンツ処理ソフトウエア３８１−１乃至メモコンテンツ処理ソフトウエア３８１−４を個々に区別する必要がない場合、まとめてコンテンツ処理ソフトウエア３８１という。
【０１４７】
コンテンツ処理ソフトウエア３８１は、記憶部１３９やMS３に記憶されている全てのコンテンツ３９２を管理しており、コンテンツのビューワの機能を提供する。データベース処理ソフトウエア３７１から静止画コンテンツの再生が要求されたとき、静止画コンテンツ処理ソフトウエア３８１−１により静止画コンテンツの再生が行われ、動画コンテンツの再生が要求されたとき、動画コンテンツ処理ソフトウエア３８１−２により動画コンテンツの再生が行われる。また、音声コンテンツの再生が要求されたとき、音声コンテンツ処理ソフトウエア３８１−３により音声コンテンツの再生が行われ、メモの再生が要求されたとき、メモコンテンツ処理ソフトウエア３８１−４によりメモの再生が行われる。
【０１４８】
なお、メモの再生は、それを作成したデータベース処理ソフトウエア３７１（メモデータベース処理ソフトウエア３７１−１）により行われるようにしてもよい。
【０１４９】
上述したように、ユーザは、サムネイル表示領域２４１に一覧表示されているサムネイル画像をタップすることによってもコンテンツを再生させることができる。サムネイル表示領域２４１に表示されているサムネイル画像がタップされたとき、サムネイル表示ソフトウエア３６３からそのことが通知され、再生が指示されたコンテンツのカテゴリに応じて、コンテンツ処理ソフトウエア３８１によりコンテンツの再生が行われる。
【０１５０】
サムネイル表示ソフトウエア３６３は、データベース処理ソフトウエア３７１からサムネイル画像の一覧の表示が要求されたとき、コンテンツ３９２を参照して、それぞれのコンテンツを表すサムネイル画像を生成し、サムネイル画像をサムネイル表示領域２４１に一覧表示させる。また、サムネイル表示ソフトウエア３６３は、サムネイル画像として一覧表示させるコンテンツのカテゴリを制限することが要求されたとき（カテゴリ選択ボタン２６１乃至２６４のいずれかが操作されたとき）、その要求に応じてサムネイル画像の表示を更新させる。
【０１５１】
さらに、サムネイル表示ソフトウエア３６３は、サムネイル表示領域２４１に表示されているサムネイル画像がタップされたとき、コンテンツの再生をコンテンツ処理ソフトウエア３８１に要求する。
【０１５２】
図２２は、図２０の各ソフトウエアが実行されることで実現されるPDA１の機能構成例を示すブロック図である。
【０１５３】
データベース処理ソフトウエア３７１により実現されるデータベース構成情報管理部４０１は、タッチパネル３６において検出されるユーザからの入力に基づいて、図２１に示されるようなデータベース構成情報を管理し、必要に応じてデータベース構成情報をデータベース表示制御部４０２に提供する。
【０１５４】
また、データベース構成情報管理部４０１は、データベースに貼り付けられているサムネイル画像がタップされ、コンテンツの再生が指示されたことをタッチパネル３６からの出力に基づいて検出した場合、それを再生要求部４０３に通知する。
【０１５５】
データベース表示制御部４０２は、データベース構成情報管理部４０１から提供される情報に従って、図７のメモ作成領域２１１や図１４の予定入力領域３０１の表示を制御する。
【０１５６】
例えば、データベース表示制御部４０２は、データベース構成情報管理部４０１から図２１のデータベース構成情報が提供されたとき、手書き文字（２段目に登録されている情報）を、その他の情報で表される色、太さで、座標（ｘ１，ｙ１）で表される位置に表示させるとともに、他のコンテンツについても、サムネイル画像等をデータベース上の所定の位置に、所定の大きさで表示させる。サムネイル画像の大きさを表す情報は、例えば、図２１のその他の情報として記述されている。
【０１５７】
再生要求部４０３は、静止画コンテンツのサムネイル画像がタップされた場合、静止画コンテンツ処理ソフトウエア３８１−１により実現される静止画コンテンツ再生部４２１−１に静止画コンテンツの再生を要求し、動画コンテンツのサムネイル画像がタップされた場合、動画コンテンツ処理ソフトウエア３８１−２により実現される動画コンテンツ再生部４２１−２に動画コンテンツの再生を要求する。
【０１５８】
また、再生要求部４０３は、音声コンテンツのサムネイル画像がタップされた場合、音声コンテンツ処理ソフトウエア３８１−３により実現される音声コンテンツ再生部４２１−３に音声コンテンツの再生を要求し、メモのサムネイル画像がタップされた場合、メモコンテンツ処理ソフトウエア３８１−４により実現されるメモコンテンツ再生部４２１−４にメモの再生を要求する。
【０１５９】
表示要求部４０４は、一覧表示ボタン２２１に対するユーザの操作を検出し、サムネイル画像の一覧を表示することが指示された場合、それをサムネイル表示ソフトウエア３６３により実現される検索部４１１に要求し、一方、サムネイル画像の一覧を閉じることが指示された場合、それをサムネイル画像表示制御部４１３に要求する。
【０１６０】
サムネイル表示ソフトウエア３６３により実現される検索部４１１は、静止画コンテンツの検索を行う静止画コンテンツ検索部４１１−１、動画コンテンツの検索を行う動画コンテンツ検索部４１１−２、音声コンテンツの検索を行う音楽コンテンツ検索部４１１−３、メモの検索を行うメモコンテンツ検索部４１１−４から構成される。このように、PDA１には、コンテンツの検索を行う機能部がコンテンツのカテゴリ毎に用意される。
【０１６１】
静止画コンテンツ検索部４１１−１乃至メモコンテンツ検索部４１１−４のそれぞれは、サムネイル画像の一覧を表示することがデータベース処理ソフトウエア３７１の表示要求部４０４から要求されることに応じてコンテンツの検索を行い、検索結果をサムネイル画像生成部４１２に出力する。静止画コンテンツ検索部４１１−１乃至メモコンテンツ検索部４１１−４によるコンテンツの検索は、PDA１にMS３やCF４が装着されている場合には、MS３、CF４、および記憶部１３９を対象として行われ、MS３やCF４が装着されていない場合には、記憶部１３９のみを対象として行われる。
【０１６２】
サムネイル画像生成部４１２は、検索部４１１（静止画コンテンツ検索部４１１−１乃至メモコンテンツ検索部４１１−４）から供給される検索結果に基づいて、各コンテンツのサムネイル画像を生成する。上述したように、例えば、静止画コンテンツのサムネイル画像として、静止画を縮小した画像を生成し、動画コンテンツのサムネイル画像として、先頭の１フレームの画像を縮小した画像を生成する。サムネイル画像生成部４１２により生成されたサムネイル画像はサムネイル画像表示制御部４１３に出力される。
【０１６３】
なお、サムネイル画像を生成するサムネイル画像生成部４１２は、コンテンツ処理ソフトウエア３８１により実現されるようにしてもよい。この場合、検索部４１１によるコンテンツの検索結果がコンテンツ処理ソフトウエア３８１のサムネイル画像生成部４１２に通知され、その通知に応じて、サムネイル画像が生成される。生成されたサムネイル画像は、サムネイル表示ソフトウエア３６３のサムネイル画像表示制御部４１３に供給され、LCD２８に表示される。
【０１６４】
サムネイル画像表示制御部４１３は、サムネイル画像生成部４１２から供給されるサムネイル画像をサムネイル表示領域２４１に一覧表示させる。また、サムネイル画像表示制御部４１３は、タッチパネル３６からの出力に基づいて、カテゴリ選択ボタン２６１乃至２６４のいずれかが操作されたことを検出した場合、操作されたボタンに対応するカテゴリのコンテンツのサムネイル画像を除くように一覧の表示を更新する。
【０１６５】
さらに、サムネイル画像表示制御部４１３は、タッチパネル３６からの出力に基づいて、サムネイル表示領域２４１に表示させているサムネイル画像がタップされ、コンテンツを再生することがユーザから指示された場合、そのことを再生要求部４１４に通知する。
【０１６６】
再生要求部４１４は、データベース処理ソフトウエア３７１の再生要求部４０３と同様に、再生が指示されたコンテンツのカテゴリに応じて、静止画コンテンツ再生部４２１−１乃至メモコンテンツ再生部４２１−４のいずれかにコンテンツの再生を要求する。
【０１６７】
次に、PDA１の動作についてフローチャートを参照して説明する。
【０１６８】
始めに、図２３のフローチャートを参照して、データ処理ソフトウエア３７１により実行されるデータベース作成処理について説明する。
【０１６９】
ステップＳ１において、データベース構成情報管理部４０１は、タッチパネル３６からの出力に基づいて、例えば、手書き文字の入力やサムネイル画像の貼り付けなどの、ユーザによる入力があったか否かを判定する。
【０１７０】
ステップＳ１において、ユーザによる入力があったと判定した場合、ステップＳ２に進み、データベース構成情報管理部４０１は、その入力に応じて、自分自身が管理するデータベース構成情報を更新する。また、ステップＳ２においては、データベース構成情報管理部４０１によるデータベース構成情報の更新に伴い、その更新が、データベース表示制御部４０２によりデータベースの表示に反映される。
【０１７１】
これにより、例えば、曲線の手書き文字がユーザにより入力された場合、この手書き文字の入力された位置を表す座標や、色、ペンの太さがデータベース構成情報に登録される。また、新たに登録された情報がデータベースの表示に反映され、図８に示されるような画像２３１がLCD２８に表示される。
【０１７２】
ステップＳ１において、ユーザからの入力がないと判定された場合、ステップＳ２の処理はスキップされる。
【０１７３】
ステップＳ３において、表示要求部４０４は、サムネイル画像の一覧を表示済みであるか否かを判定し、まだ表示していないと判定した場合、ステップＳ４に進む。
【０１７４】
ステップＳ４において、表示要求部４０４は、サムネイル画像の一覧の表示が指示されたか否かをタッチパネル３６からの出力に基づいて判定する。
【０１７５】
一覧表示ボタン２２１が操作されたため、ステップＳ４において、サムネイル画像の一覧の表示が指示されたと判定した場合、表示要求部４０４は、ステップＳ５に進み、サムネイル画像の一覧の表示をサムネイル表示ソフトウエア３６３（検索部４１１）に要求する。
【０１７６】
この要求に応じて、サムネイル表示ソフトウエア３６３においては、サムネイル画像の一覧の表示が行われる。サムネイル表示ソフトウエア３６３による処理の詳細については図２４のフローチャートを参照して後述する。
【０１７７】
ステップＳ６において、データベース構成情報管理部４０１は、データベースに対するサムネイル画像の貼り付けが、サムネイル表示ソフトウエア３６３のサムネイル画像表示制御部４１３から通知されたか否かを判定する。サムネイル表示領域２４１に表示されたサムネイル画像の一覧から選択されたサムネイル画像が、ドラッグアンドドロップにより例えばメモ作成領域２１１に貼り付けられたとき、そのことがサムネイル画像表示制御部４１３から通知されてくる（図２４のステップＳ３１）。
【０１７８】
データベース構成情報管理部４０１は、ステップＳ６において、データベースに対するサムネイル画像の貼り付けが通知されてきたと判定した場合、ステップＳ７に進み、データベース構成情報を更新する。このときも、そのデータベース構成情報の更新がデータベース表示制御部４０２によりデータベースの表示に反映される。
【０１７９】
これにより、例えば、図９に示されるように、サムネイル画像２５３がサムネイル表示領域２４１からドラッグアンドドロップにより位置Ｐ1に貼り付けられたとき、そのサムネイル画像２５３により表されるコンテンツ本体のデータの記録場所を表すリンク情報や、位置Ｐ1の座標等がデータベース構成情報に登録され、表示に反映される（図１０）。
【０１８０】
ステップＳ４において、サムネイル画像の一覧の表示が指示されていないと判定された場合、ステップＳ５乃至Ｓ７の処理はスキップされる。また、ステップＳ６において、サムネイル画像の貼り付けが通知されていないと判定された場合、ステップＳ７の処理はスキップされる。
【０１８１】
一方、ステップＳ３において、表示要求部４０４は、サムネイル画像の一覧を表示済みであると判定した場合、ステップＳ８に進み、表示しているサムネイル画像の一覧を閉じることが指示されたか否かを判定する。サムネイル画像の一覧が表示されているときに一覧表示ボタン２２１を操作することによって、ユーザは、サムネイル画像の一覧を閉じることができる。
【０１８２】
ステップＳ８において、表示要求部４０４は、表示しているサムネイル画像の一覧を閉じることが指示されていないと判定した場合、ステップＳ６に進み、それ以降の処理を実行する。
【０１８３】
表示要求部４０４は、ステップＳ８において、一覧を閉じることが指示されたと判定した場合、ステップＳ９に進み、サムネイル画像の一覧を閉じることをサムネイル表示ソフトウエア３６３のサムネイル画像表示制御部４１３に要求する。この要求に応じて、サムネイル表示ソフトウエア３６３によってサムネイル画像の一覧の表示が消される。その後、処理はステップＳ１０に進む。
【０１８４】
ステップＳ１０において、データベース構成情報管理部４０１は、データベースに貼り付けたコンテンツの再生がユーザから指示されたか否かを判定し、データベースに貼り付けたサムネイル画像がタップされたことから、そのサムネイル画像により表されるコンテンツの再生が指示されたと判定した場合、そのことを再生要求部４０３に通知する。
【０１８５】
再生要求部４０３は、ステップＳ１１において、コンテンツの再生をコンテンツ処理ソフトウエア３８１に対して要求する。再生要求部４０３は、静止画コンテンツのサムネイル画像がタップされた場合、静止画コンテンツ再生部４２１−１に静止画コンテンツの再生を要求し、動画コンテンツのサムネイル画像がタップされた場合、動画コンテンツ再生部４２１−２に動画コンテンツの再生を要求する。また、再生要求部４０３は、音声コンテンツのサムネイル画像がタップされた場合、音声コンテンツ再生部４２１−３に音声コンテンツの再生を要求し、メモのサムネイル画像がタップされた場合、メモコンテンツ再生部４２１−４にメモの再生を要求する。
【０１８６】
データベース構成情報管理部４０１は、ステップＳ１２において、データベースの作成を終了するか否かを判定し、終了しないと判定した場合、ステップＳ１に戻り、それ以降の処理を繰り返し実行する。
【０１８７】
一方、ステップＳ１２において、データベース構成情報管理部４０１は、例えば、図６のメインの画面に戻ることが指示されたため、データベースの作成を終了させると判定した場合、作成中のデータベースに関するデータベース構成情報を記憶部１３９などに保存し、処理を終了させる。
【０１８８】
次に、図２４のフローチャートを参照して、サムネイル表示ソフトウエア３６３により実行されるサムネイル画像の表示制御処理について説明する。
【０１８９】
この処理は、データベース処理ソフトウエア３７１の表示要求部４０４からの要求（図２３のステップＳ５）があったときに開始される。
【０１９０】
ステップＳ２１において、検索部４１１は、記憶部１３９やMS３などに記憶されているコンテンツを対象として、データベースに貼り付けることのできる全てのカテゴリのコンテンツの検索を行う。
【０１９１】
具体的には、静止画コンテンツ検索部４１１−１により静止画コンテンツの検索が行われ、動画コンテンツ検索部４１１−２により動画コンテンツの検索が行される。また、音声コンテンツ検索部４１１−３により音声コンテンツの検索が行われ、メモコンテンツ検索部４１１−４によりメモコンテンツの検索が行われる。静止画コンテンツ検索部４１１−１至メモコンテンツ検索部４１１−４によるそれぞれの検索結果は、サムネイル画像生成部４１２に出力される。
【０１９２】
サムネイル画像生成部４１２は、ステップＳ２２において、それぞれのカテゴリのコンテンツのサムネイル画像を生成し、生成したサムネイル画像をサムネイル画像表示制御部４１３に出力する。上述したように、サムネイル画像生成部４１２がコンテンツ処理ソフトウエア３８１により実現される場合、ステップＳ２１での検索結果がサムネイル画像生成部４１２に通知され、サムネイル画像が生成される。
【０１９３】
ステップＳ２３において、サムネイル画像表示制御部４１３は、サムネイル画像の一覧を表示させる。これにより、図９に示されるように、サムネイル表示領域２４１がLCD２８上に形成され、そこに、サムネイル画像の一覧が表示される。
【０１９４】
ステップＳ２４において、サムネイル画像表示制御部４１３は、タッチパネル３６からの出力に基づいて、サムネイル画像のカテゴリの選択が行われたか否かを判定し、カテゴリ選択ボタン２６１乃至２６４のいずれかが操作され、カテゴリの選択が行われたと判定した場合、ステップＳ２５に進む。
【０１９５】
ステップＳ２５において、サムネイル画像表示制御部４１３は、ユーザによる入力に応じてサムネイル画像の表示を更新させる。サムネイル画像表示制御部４１３は、例えば、カテゴリ選択ボタン２６１が操作されたとき、既に表示させているサムネイル画像の中から、静止画コンテンツのサムネイル画像を除くことで表示を更新し、カテゴリ選択ボタン２６２が操作されたとき、動画コンテンツのサムネイル画像を除くことで表示を更新する。カテゴリ選択ボタン２６３，２６４が操作されたときも同様に、メモ、音声コンテンツのサムネイル画像が除かれることで表示が更新される。
【０１９６】
ステップＳ２４において、カテゴリの選択が行われていないと判定された場合、ステップＳ２５の処理はスキップされる。
【０１９７】
ステップＳ２６において、サムネイル画像表示制御部４１３は、タッチパネル３６からの出力に基づいて、サムネイル表示領域２４１にサムネイル画像を表示させているコンテンツの再生が指示されたか否かを判定する。
【０１９８】
サムネイル画像がタップされたことから、ステップＳ２６において、そのサムネイル画像により表されるコンテンツの再生が指示されたと判定した場合、サムネイル画像表示制御部４１３は、そのことを再生要求部４１４に通知する。
【０１９９】
再生要求部４１４は、ステップＳ２７において、コンテンツの再生をコンテンツ処理ソフトウエア３８１に対して要求する。再生要求部４１４は、静止画コンテンツのサムネイル画像がタップされた場合、静止画コンテンツ再生部４２１−１に静止画コンテンツの再生を要求し、動画コンテンツのサムネイル画像がタップされた場合、動画コンテンツ再生部４２１−２に動画コンテンツの再生を要求する。また、再生要求部４１４は、音声コンテンツのサムネイル画像がタップされた場合、音声コンテンツ再生部４２１−３に音声コンテンツの再生を要求し、メモのサムネイル画像がタップされた場合、メモコンテンツ再生部４２１−４にメモの再生を要求する。
【０２００】
ステップＳ２６において、コンテンツの再生が指示されていないと判定された場合、ステップＳ２７の処理はスキップされる。
【０２０１】
ステップＳ２８において、サムネイル画像表示制御部４１３は、サムネイル表示領域２４１に表示させているサムネイル画像の上にスタイラス２の先端が押し当てられたか否かを判定し、押し当てられたと判定した場合、ステップＳ２９に進み、スタイラス２の移動に連動してサムネイル画像の表示位置を移動させる。
【０２０２】
ステップＳ３０において、サムネイル画像表示制御部４１３は、サムネイル画像に対するスタイラス２の先端の押し当てが終わったか否か、すなわち、スタイラス２の先端がLCD２８の表面から離されたか否かを判定し、スタイラス２の先端がLCD２８の表面から離されていないと判定した場合、ステップＳ２９に戻り、表示位置の移動を繰り返す。
【０２０３】
一方、ステップＳ３０において、サムネイル画像表示制御部４１３は、LCD２８の表面からスタイラス２の先端が離され、作成中のデータベースの上にサムネイル画像が移動されたと判定した場合、ステップＳ３１に進み、データベース処理ソフトウエア３７１のデータベース構成情報管理部４０１に対して、サムネイル画像の貼り付けを要求する。
【０２０４】
このとき、サムネイル画像の移動先の位置を表す情報や、そのサムネイル画像のリンク情報などの各種の情報がサムネイル画像表示制御部４１３からデータベース構成情報管理部４０１に通知される。
【０２０５】
このようなサムネイル画像の貼り付けの通知が行われた後、または、ステップＳ２８において、サムネイル画像に対してスタイラス２の先端が押し当てられていないと判定された場合、処理はステップＳ３２に進む。
【０２０６】
ステップＳ３２において、サムネイル画像表示制御部４１３は、サムネイル画像の一覧を閉じること要求されたか否かを判定し、要求されていないと判定した場合、ステップＳ２６に戻り、それ以降の処理を繰り返す。
【０２０７】
また、サムネイル画像表示制御部４１３は、ステップＳ３２において、サムネイル画像の一覧を閉じることが要求されたと判定した場合、一覧を閉じ、処理を終了させる。この要求は、データベース処理ソフトウエア３７１の表示要求部４０４から通知されるものである（図２３のステップＳ９）。
【０２０８】
次に、図２５のフローチャートを参照して、コンテンツ処理ソフトウエア３８１により実行されるコンテンツの再生処理について説明する。
【０２０９】
例えば、この処理が静止画コンテンツ処理ソフトウエア３８１−１により実行される場合、静止画コンテンツ再生部４２１−１は、ステップＳ４１において、静止画コンテンツの再生（プレビュー）が要求されたか否かを判定し、要求されたと判定するまで待機する。
【０２１０】
データベースに貼り付けられた静止画コンテンツのサムネイル画像がタップされたとき、または、サムネイル表示領域２４１に表示されている静止画コンテンツのサムネイル画像がタップされたとき、データベース処理ソフトウエア３７１の再生要求部４０３、サムネイル表示ソフトウエア３６３の再生要求部４１４からそれぞれ静止画コンテンツの再生が要求されてくる（図２３のステップＳ１１、図２４のステップＳ２７）。再生要求部４０３、再生要求部４１４からの要求には、コンテンツ本体の記憶位置を表す情報等も含まれる。
【０２１１】
なお、サムネイル画像がタップされたときにすぐにコンテンツの再生が開始されるのではなく、サムネイル画像がタップされたとき、タップされたコンテンツに対してユーザが選択可能な操作の内容を表すメニューが表示され、そのメニューからある操作が選択されてからコンテンツの再生が開始されるようにしてもよい。サムネイル画像がタップされたときに表示されるメニューには、例えば、コンテンツの再生／はがす／拡大／縮小／削除等が、ユーザが選択可能な操作として用意される。
【０２１２】
静止画コンテンツ再生部４２１−１は、ステップＳ４１において、静止画コンテンツの再生が要求されたと判定した場合、ステップＳ４２に進み、再生要求部４０３、再生要求部４１４からの要求に含まれる情報に基づいてコンテンツ本体のデータを取得し、その再生を開始する。
【０２１３】
これにより、LCD２８上には、例えば、図１１に示されるような静止画のプレビューが表示される。静止画コンテンツ再生部４２１−１は、以上の処理を繰り返し、静止画コンテンツの再生を行う。
【０２１４】
同様の処理が動画コンテンツ再生部４２１−２、音声コンテンツ再生部４２１−３、メモコンテンツ再生部４２１−４によりそれぞれのカテゴリのコンテンツに対して行われる。
【０２１５】
以上においては、データベースに貼り付けるコンテンツは、静止画、動画、音声、メモ（予定表の作成時）のコンテンツであるとしたが、貼り付け可能なコンテンツは、これらのものに限られない。例えば、図６のアプリケーションアイコン２０４や、予め用意されている貼り付け用の画像（例えば、星形の画像）など、各種の情報をコンテンツとして貼り付けることができるようにしてもよい。例えば、アプリケーションアイコン２０４をメモに貼り付けておき、それを用いることで、表示させているメモからソフトウエアを直接起動させることができる。
【０２１６】
また、予定表に登録した１つの予定の項目や、アドレス帳に登録した１つのアドレス情報などのいわゆるPIM(Personal Information Manager)情報を、コンテンツとしてデータベースに貼り付けることができるようにしてもよい。
【０２１７】
次に、サムネイル表示領域２４１の表示の切り替えについて説明する。
【０２１８】
上述したように、サムネイル表示領域２４１には、検索されたコンテンツを表すサムネイル画像が表示されるが、このサムネイル表示領域２４１の表示は、その上方に表示されるデータベースの画面表示と連動して切り替えられるようにもなっている。
【０２１９】
例えば、月単位の予定表が表示されている状態で、ユーザが、予定表の日付の上に表示されるカーソルを移動させたとき、そのカーソルの移動に連動して、カーソルにより選択されている日付を作成日とするコンテンツのサムネイル画像が表示されるように、サムネイル表示領域２４１の表示が切り替えられる。
【０２２０】
すなわち、メモ、静止画、音声などのコンテンツには、それぞれ、作成日（静止画の場合「撮影日」、音声の場合「録音日」）の情報が属性情報として付加されており、その作成日の情報が参照されて表示の切り替えが行われる。
【０２２１】
これにより、ユーザは、例えば、ある日の予定として会議があることを登録しておき、その会議で録音した音声をPDA１内に記録させていた場合、会議の日をカーソルで選択することで、その下のサムネイル表示領域２４１に会議の音声のサムネイル画像を表示させることができる。すなわち、ユーザは、予定表に表示されている「会議」のスケジュールからも、目的とするコンテンツを容易に探し出し、再生させることができる。
【０２２２】
また、ユーザは、月単位で表示されている予定表の中から所定の日付を選択したときに、その日付を作成日としないコンテンツのサムネイル画像でも表示させることができるように、ある日付と、コンテンツを関連付けることもできるようになされている（なお、上述したサムネイル画像を予定表に貼り付けることは、予定表のデータベースと、コンテンツを関連付けることである）。
【０２２３】
従って、ある日付をユーザがカーソルで選択した場合、その日付に関連付けられているコンテンツのサムネイル画像や、その日付を作成日とするコンテンツのサムネイル画像などを中心としてサムネイル画像が配列して表示される。
【０２２４】
以下、サムネイル表示領域２４１の表示の切り替えについて図を参照して説明する。
【０２２５】
図２６は、日単位の予定表の表示画面の例を示す図である。
【０２２６】
左上方に表示されている「2004 01 04」の数字は、その下に表示されている予定が２００４年１月４日のものであることを表している。なお、図２６の画面は、図１７等を参照して説明した画面と同様であり、重複する説明については省略する。
【０２２７】
図２６に示されるように、２００４年１月４日の１３時から１４時の欄には、予定５０１として「ミーティング」があることが登録されている。これは、図１５の予定３２１と同様にして入力されたものである。
【０２２８】
また、図２６の画面にはサムネイル表示領域２４１が表示されており、そこには、サムネイル画像５１１乃至５１５の５つのサムネイル画像が表示されている。
【０２２９】
サムネイル画像５１１乃至５１５のうち、中央のサムネイル画像５１３はカーソル５２１で選択されており、左端のサムネイル画像５１１と、右端のサムネイル画像５１５は、その半分の表示が切れている。図２６に示される５個以外にも、さらに多数のサムネイル画像が帯状に仮想的に配列しており、そのうちのサムネイル表示領域２４１内にあるものだけが実際に表示される。
【０２３０】
ユーザは、カーソル５２１の下に表示されるスクロールバーを操作することで、このように配列表示されるサムネイル画像の表示範囲を切り替えることができ、例えば、サムネイル画像５１１やサムネイル画像５１５の全体を表示させたりすることができる。
【０２３１】
図２６の状態で、サムネイル画像５１３が予定入力領域３０１上の位置Ｐ3まで移動されたとき、図２７に示されるように、位置Ｐ3にサムネイル画像５１３が貼り付けられる（２００４年１月４日の予定にサムネイル画像５１３により表されるコンテンツが関連付けられる）。
【０２３２】
サムネイル画像５１３はメモのデータベースを表す画像であり、図２７に示されるように予定に貼り付けたサムネイル画像５１３を選択することで、或いは、サムネイル表示領域２４１に表示されているサムネイル画像５１３を選択することで、ユーザは、そのメモを拡大表示させることができる。
【０２３３】
図２８は、サムネイル画像５１３により内容が表されるメモを拡大表示させた画面の例を示す図である。ユーザは、このようにコンテンツを拡大表示させ、その詳細を確認したり、編集を加えたりすることができる。なお、図２８の画面は、例えば、図８の画面に対応する。
【０２３４】
サムネイル表示領域２４１には、基本的に、左から右方向に向かって、作成日順にサムネイル画像が並べられるが、上述したように、ユーザは、ある日付とコンテンツを関連付け、サムネイル画像の表示をカスタマイズすることができる。
【０２３５】
この日付の関連付けは、例えば、図２８に示されるようにコンテンツが拡大表示されている状態で、ユーザがコンテンツの詳細情報を設定することで行われる。
【０２３６】
図２９は、コンテンツの詳細情報を表示する画面の例である。
【０２３７】
図２８の画面の状態で所定の操作を行ったとき、図２９に示されるように、そのとき表示されている手書きの地図のコンテンツに重ねて、ページ（コンテンツ）の詳細を表示するウインドウ５３１が表示される。
【０２３８】
ウインドウ５３１の下方に表示されるOKボタン５４１を操作することで、ユーザは、ウインドウ５３１に記述される内容の設定を表示等に反映させることができ、キャンセルボタン５４２を操作することで設定をキャンセルすることができる。OKボタン５４１、キャンセルボタン５４２が操作されたとき、ウインドウ５３１は閉じられ、コンテンツが拡大表示される図２８の画面に戻る。
【０２３９】
図２９の例においては、ウインドウ５３１には、タイトル（図２８のメモのタイトル）が「0401040000」、作成日時が「２００４年１月４日」（04/01/04）の「１０時２８分２８秒」（10:28:28）、更新日時が「２００４年１月４日」（04/01/04）の「１０時５７分１１秒」（10:57:11）、コンテンツのデータ量が「１０KB」であることが表示されている。このように、メモを含め、それぞれのコンテンツには、作成日、更新日などの日付情報が付加されている。
【０２４０】
また、ユーザは、コンテンツの詳細が表示されている状態でメモの背景の色（図１２Ｂの地の色）、アラームのオン／オフとともに、コンテンツを関連付ける予定表の日時を設定することができるようになされている。図２９の例においては、日付欄５５１には「２００４年１月２６日」が入力され、時刻欄５５２には「９時２８分」（09:28）が入力されている。
【０２４１】
すなわち、この場合、図２８のコンテンツは「２００４年１月２６日」に関連付けられており、ユーザが、例えば、月単位で表示される予定表から１月２６日の欄を選択したとき、予定表の下のサムネイル表示領域２４１には、「１月４日」の作成日に関わらず、図２８のコンテンツを表すサムネイル画像が表示される。
【０２４２】
図３０は、図２９の日付欄５５１をスタイラス２でタップしたときに表示される画面であり、それまで表示されていたウインドウ５３１に代えて、ウインドウ５６１がコンテンツに重ねて表示される。
【０２４３】
ウインドウ５６１からコンテンツを関連付ける日付が選択されたとき、または、キャンセルボタン５７１が操作されたとき、ウインドウ５６１は閉じられ、図２９の表示に戻る。なお、今日ボタン５７２は、この、日時の設定を行っている日に関連付けるときに操作されるものである。
【０２４４】
図３０に示されるように、ウインドウ５６１の上方には１月から１２月のそれぞれの月を選択するときに操作される１２個のボタンが表示されており、そこから選択された１つの月のカレンダが１２個のボタンの下に表示される。
【０２４５】
図３０の例においては、１月が選択され、コンテンツを関連付ける日付として２６日（１月２６日）がカーソル５８１により選択されている。カーソル５８１は、ユーザがスタイラス２でタップするなどして選択した日付の上に表示される。
【０２４６】
このように、ユーザは、表示されるカレンダから日付を選択するだけで、日付とコンテンツの関連付けを容易に行うことができる。以下、コンテンツが関連付けられた日付、時刻を、適宜、予定表日、予定表時ともいう。
【０２４７】
図３１は、月単位の予定表の画面の例を示す図である。
【０２４８】
図３１の予定入力領域３０１には１月の予定表が主に表示されており、その４日の欄には「ミーテ．．．」（ミーティング）が、１５日の欄には「かいもの」が、２６日の欄には「ミーテ．．．」（ミーティング）が表示されている。
【０２４９】
月単位での予定表の表示の場合、このように、予定が入力されている日付の欄には予定の内容が表示される。また、その日を作成日とするコンテンツがある日付の欄と、予定表日が設定された日付の欄には、それを表すアイコンが表示される。
【０２５０】
図３１のアイコン６０１乃至６０４はそれらを表している。例えば、１月１日の欄に表示されるアイコン６０１、１月４日の欄に表示されるアイコン６０２、および、１月２４日の欄に表示されているアイコン６０３は、それぞれの日付を作成日とするコンテンツがあることを表している。また、１月２６日の欄に表示されているアイコン６０４は、２６日を予定表日とするコンテンツがあることを表している。
【０２５１】
コンテンツの作成日を表すアイコン（例えば、アイコン６０１乃至６０３）と、予定表日を表すアイコン（例えば、アイコン６０３）は、同じものであってもよいし、表す内容をユーザが視覚的に識別できるように、色や形状がそれぞれ異なるものであってもよい。
【０２５２】
図３１の月単位の予定表からは、ユーザは、所定の日付の欄を選択することで、その日付に登録している予定を確認したり、予定を新たに登録したりすることができる。例えば、図３１の４日の欄をスタイラス２でタップしたとき、予定入力領域３０１の表示は、図２７に示される表示に切り替わる。
【０２５３】
また、ユーザは、ジョグダイヤル２５（図３）を回動操作することで、１つの日付の上に表示されるカーソル５９１を移動させることができるとともに、ジョグダイヤル２５をPDA１の筐体内部の方向に押下することで、カーソル５９１で選択している日付の予定を、その日付をタップしたときと同様に予定入力領域３０１に表示させることができる。
【０２５４】
例えば、ジョグダイヤル２５が回動操作されることによって、その方向と回動量に応じて、図３１の２６日の欄にあるカーソル５９１は、２５日、２４日、２３日、・・・（上方向の回動）、または、２７日、２８日、２９日、・・・（下方向の回動）と移動する。
【０２５５】
このカーソル５９１の移動に連動して、サムネイル表示領域２４１に表示されるサムネイル画像も切り替わる。
【０２５６】
ここで、サムネイル表示領域２４１の表示の切り替えについて説明する。
【０２５７】
図３２は、サムネイル表示領域２４１のみを示す図である。
【０２５８】
サムネイル画像６３１，６３２は、１月１日を作成日とするコンテンツのサムネイル画像であり、サムネイル画像６３３，６３４，６３５は、１月４日を作成日とするコンテンツのサムネイル画像である。
【０２５９】
基本的には（予定表日が設定されているコンテンツのサムネイル画像がない場合）、サムネイル表示領域２４１に表示されるサムネイル画像は、このようにコンテンツの作成日順に配列される。同じ日付を作成日とするコンテンツが複数ある場合、作成時刻の前後などから配列の順番が決まる。
【０２６０】
サムネイル表示領域２４１の上方に表示される予定表の中から１月１日がカーソル５９１（図３１）で選択された場合、１日を作成日とするコンテンツのサムネイル画像のうちの、より先頭（左側）にあるサムネイル画像６３１が５個のサムネイル画像のうちの中央に表示される（１月１日を作成日とするコンテンツが図３２のサムネイル画像６３１，６３２により表される２つのコンテンツだけであるとすると、図３２の状態から２つのサムネイル画像の分だけ、サムネイル画像６３１乃至６３５全体を右側にスクロールさせた状態となる）。
【０２６１】
また、ジョグダイヤル２５が回動操作され、カーソル５９１が１月４日の欄に移動したとき、４日を作成日とするコンテンツのサムネイル画像のうちの、より先頭にあるサムネイル画像６３３が中央に位置する、図３２の表示に切り替えられる。
【０２６２】
図３２の状態からジョグダイヤル２５を回動操作（例えば、下方向の操作）し続け、１月２４日にカーソル５９１が移動したときも、同様に、１月２４日を作成日とするコンテンツのサムネイル画像が中央にくるように表示が切り替えられる。
【０２６３】
また、１月２６日にカーソル５９１が移動したとき、図３３に示されるように、１月４日を作成日とするものであるにも関わらず、２６日を予定表日として設定されたコンテンツのサムネイル画像５１３がサムネイル表示領域２４１の中央にくるように表示が切り替えられる。この状態は、図３１のサムネイル表示領域２４１の状態と同じである。
【０２６４】
このように、予定表日を設定することができることから、ユーザは、例えば、１月４日のミーティングで作成した資料（図２８のメモ）を２６日のミーティングで使う場合、その資料の予定表日を２６日として設定しておくことにより、ミーティングの日である２６日をカーソル５９１で選択するだけで、その資料を容易に探し出すことができる。
【０２６５】
作成日順にサムネイル画像が配列されるだけの場合、ユーザは、予め作成したミーティングの資料を、作成日を思い出しながら探す必要があるが、予定表日を設定することができることにより、作成日を思い出すことなく、予定表に登録されている２６日のミーティングの予定を見て、資料を探し出すことができる。
【０２６６】
なお、図３３において、サムネイル画像６１１，６１２は、例えば、１月２４日を作成日とするコンテンツのサムネイル画像であり、サムネイル画像６１３，６１４は、例えば、２６日を作成日とするコンテンツのサムネイル画像である。
【０２６７】
このように、ある１日に、その日を予定表日とするコンテンツと、その日を作成日とするコンテンツがある場合、予定表日のコンテンツが優先され、その日を予定表日とするコンテンツのサムネイル画像がより先頭にくるように表示が制御される。
【０２６８】
従って、１月２６日がカーソル５９１で選択されている場合、図３３に示されるように、２６日を作成日とするコンテンツのサムネイル画像であるサムネイル画像６１３，６１４よりも、２６日を予定表日とするコンテンツのサムネイル画像であるサムネイル画像５１３が優先的に中央に表示される。
【０２６９】
また、同じ日を予定表日とするコンテンツが複数ある場合、予定表時や作成時刻などにもよって並び替えられる。
【０２７０】
以上のようなサムネイル画像の表示の切り替えは、図３４に示されるように、週単位での予定表が表示されている場合にも行われる。
【０２７１】
図３４は、図３１の１月２５日から１月３１日の週の予定表の例を示す図である。
【０２７２】
この場合も、ユーザは、ジョグダイヤル２５を回動操作することで、カーソル６３１を順次移動させることができる。カーソル６３１の移動に連動して、サムネイル表示領域２４１のサムネイル画像の表示も切り替えられる。
【０２７３】
図３４の例においては、図３１と同様に、２６日を予定表日とするコンテンツがあることが２６日の欄に表示されるアイコン６４１により示されている。カーソル６３１により２６日が選択されたとき、その日を予定表日とするコンテンツのサムネイル画像であるサムネイル画像５１３が中央に位置するように表示が切り替えられる。
【０２７４】
図３５は、以上のようなサムネイル画像の表示の切り替えを行う各ソフトウエアの機能構成例を示すブロック図である。
【０２７５】
図３５に示される各機能部は、コンテンツ処理ソフトウエア３８１によりコンテンツ管理部６５１が実現される点を除いて図２２の構成と同じである。
【０２７６】
コンテンツ管理部６５１は、MS３などに記憶されているコンテンツを管理し、例えば、図２９の画面から入力される予定表日時の設定を行う。
【０２７７】
図３６、図３７は、コンテンツ管理部６５１により管理されるコンテンツのデータ構造の例を示す図である。
【０２７８】
図３６は、ユーザにより作成された手書きのメモのデータ構造の例を示す図である。手書きメモのデータに付加されるヘッダには、作成日を表す情報、編集日を表す情報、予定表日時を表す情報、その他の属性情報が記述される。
【０２７９】
ユーザにより予定表日時が設定されたとき、設定された日時を表す情報が、図３６と同様のデータ構造を有するそれぞれのコンテンツのヘッダに記述される。
【０２８０】
図３８は、静止画のデータ構造の例を示す図である。画像データ本体には、Exif(Exchangeable image file format)情報が付加される。Exif情報は、画像を撮影したディジタルカメラのメーカ名、日付（撮影日）等の情報からなるメイン情報、撮影時のシャッタスピード、Exifのバージョンを表す情報等からなるサブ情報、サムネイル情報、拡張情報からなる。ユーザにより設定された予定表日時の情報は、このうちの拡張情報に記述される。
【０２８１】
次に、図３８のフローチャートを参照して、コンテンツ処理ソフトウエア３８１のコンテンツ管理部６５１により行われる予定表日時の登録処理について説明する。
【０２８２】
ステップＳ３０１において、コンテンツ管理部６５１は、ユーザからの指示に応じて、図２９に示されるコンテンツの詳細画面を表示させ、ステップＳ３０２に進み、予定表日時の設定が選択されたか否かを判定する。すなわち、この場合、コンテンツ管理部６５１は、LCD２８の表示の制御とともに、タッチパネル３６に対するユーザの入力の監視も行う。
【０２８３】
ステップＳ３０２において、予定表日時の設定が選択されていないと判定した場合、ステップＳ３０３に進み、ユーザ操作に応じた処理を行い、ステップＳ３０４乃至Ｓ３０６の処理をスキップする。
【０２８４】
一方、例えば、図２９の日付欄５５１がスタイラス２でタップされたことから、ステップＳ３０２において、予定表日時の設定が選択されたと判定した場合、ステップＳ３０４に進み、コンテンツ管理部６５１は、図３０の選択画面を表示させる。ステップＳ３０４においては、時刻欄５５２がタップされたときも同様に時刻を選択する画面が表示される。
【０２８５】
コンテンツ管理部６５１は、ステップＳ３０５において、予定表日とする日付が選択されたか、または、予定表時とする時刻が選択されたか否かを判定し、例えば、図３０の画面から所定の１日が選択されるまで、ステップＳ３０４に戻り、選択画面の表示を続行する。
【０２８６】
ステップＳ３０５において、予定表日時が選択されたと判定した場合、ステップＳ３０６に進み、コンテンツ管理部６５１は、ユーザによる選択に従って予定表日時の設定を行う。
【０２８７】
ここでは、ユーザがメモに予定表日時の設定を行った場合、図３６に示されるように、そのヘッダに予定表日時情報が設定され、静止画に予定表日時の設定を行った場合、図３７に示されるように、そのExif情報の拡張情報として予定表日時情報が設定される。
【０２８８】
ステップＳ３０７において、コンテンツ管理部６５１は、詳細画面を閉じることが選択されたか否かを判定し、選択されていないと判定した場合、ステップＳ３０１に戻り、上述した処理を繰り返す。
【０２８９】
コンテンツ管理部６５１は、詳細画面に表示されるOKボタン５４１が操作されたことから、詳細画面を閉じることが選択されたと判定した場合、処理を終了させる。
【０２９０】
次に、図３９のフローチャートを参照して、データベース処理ソフトウエア３７１により行われるアイコン（予定表に表示されるアイコン６０４等）の表示処理について説明する。この処理は、月単位、週単位、日単位の予定表の画面が表示されているときに行われる。
【０２９１】
ステップＳ３２１において、データベース表示制御部４０２は、コンテンツ処理ソフトウエア３８１のコンテンツ管理部６５１により管理されるコンテンツのうちの１つのコンテンツを選択し、ステップＳ３２２に進み、まだ選択していないコンテンツがあるか否かを判定する。
【０２９２】
全てのコンテンツを選択し、全てのコンテンツについて後述する処理を行った場合、データベース表示制御部４０２は、ステップＳ３２２において、コンテンツが存在しないと判定し、処理を終了させる。
【０２９３】
ステップＳ３２２において、選択していないコンテンツがあると判定した場合、データベース表示制御部４０２は、ステップＳ３２３に進み、ステップＳ３２１で選択した１つのコンテンツに予定表日が設定されているか否かを判定する。
【０２９４】
ステップＳ３２３において、データベース表示制御部４０２は、選択した１つのコンテンツに予定表日が設定されていると判定した場合、ステップＳ３２４に進み、その予定表日をコンテンツのヘッダから、或いは、Exif情報から取得する。
【０２９５】
一方、ステップＳ３２３において、データベース表示制御部４０２は、選択した１つのコンテンツに予定表日が設定されていないと判定した場合、ステップＳ３２５に進み、その作成日をコンテンツのヘッダから、或いは、Exif情報から取得する。
【０２９６】
ステップＳ３２４，Ｓ３２５において、日付を取得した場合、データベース表示制御部４０２は、ステップＳ３２６に進み、取得した予定表日が、予定入力領域３０１に表示している月／週／日に含まれる日であるか否かを判定する。
【０２９７】
データベース表示制御部４０２は、ステップＳ３２６において、取得した予定表日が予定入力領域３０１に表示している月／週／日に含まれる日ではないと判定した場合、ステップＳ３２１に戻り、それ以降の処理を繰り返す。
【０２９８】
一方、ステップＳ３２６において、データベース表示制御部４０２は、取得した予定表日が、予定入力領域３０１に表示している月／週／日に含まれる日であると判定した場合、ステップＳ３２７に進み、その日の欄にアイコンを表示させる。
【０２９９】
これにより、図３１に示されるように、２００４年１月の予定表が予定入力領域３０１に表示されている場合、１月１日、４日、２４日、２６日の欄には、それぞれの日付を作成日または予定表日とするコンテンツがあることを表すアイコン６０１乃至６０４が表示される。
【０３００】
次に、図４０のフローチャートを参照して、サムネイル処理ソフトウエア３６３により行われるサムネイル画像の表示処理について説明する。
【０３０１】
この処理は、例えば、コンテンツの予定表日または作成日とされている日付（アイコンが表示されている日）にカーソル５９１があるときに開始される。
【０３０２】
ステップＳ３４１において、サムネイル表示ソフトウエア３６３のサムネイル画像表示制御部４１３は、表示基準日を設定する。ここで、表示基準日とは、カーソル５９１により選択されている、コンテンツの予定表日または作成日とされている日付のことである。
【０３０３】
ステップＳ３４２において、サムネイル画像表示制御部４１３は、コンテンツ処理ソフトウエア３８１のコンテンツ管理部６５１により管理されるコンテンツのうちの１つのコンテンツを選択し、ステップＳ３４３に進み、まだ選択していないコンテンツがあるか否かを判定する。
【０３０４】
全てのコンテンツを選択し、全てのコンテンツについて後述する処理を行った場合、サムネイル画像表示制御部４１３は、ステップＳ３４３において、コンテンツが存在しないと判定し、処理を終了させる。
【０３０５】
ステップＳ３４３において、選択していないコンテンツがあると判定した場合、サムネイル画像表示制御部４１３は、ステップＳ３４４に進み、ステップＳ３４１で選択した１つのコンテンツに予定表日が設定されているか否かを判定する。
【０３０６】
ステップＳ３４４において、サムネイル画像表示制御部４１３は、選択した１つのコンテンツに予定表日が設定されていると判定した場合、ステップＳ３４５に進み、その予定表日をコンテンツのヘッダから、或いは、Exif情報から取得する。
【０３０７】
一方、ステップＳ３４４において、選択した１つのコンテンツに予定表日が設定されていないと判定した場合、サムネイル画像表示制御部４１３は、ステップＳ３４６に進み、その作成日をコンテンツのヘッダから、或いは、Exif情報から取得する。
【０３０８】
ステップＳ３４５，Ｓ３４６において、日付を取得した場合、サムネイル画像表示制御部４１３は、ステップＳ３４７に進み、表示基準日を中心として、直前に選択したコンテンツと、それまでに選択したコンテンツを配列し、サムネイル画像を生成するコンテンツの選択を行う。
【０３０９】
ここでは、表示基準日を中心として、より表示基準日に近い日付を作成日とするコンテンツ、或いは、より表示基準日に近い日付を予定表日とするコンテンツだけが選択されるように配列される。例えば、１０個などの所定の数のコンテンツだけが選択されるようになされており、１つのコンテンツが順次選択されることにより（ステップＳ４３２の処理が繰り返されることにより）、その１０個に該当しなくなったコンテンツについては、サムネイル画像を生成するコンテンツから外される。
【０３１０】
ステップＳ３４８において、サムネイル画像表示制御部４１３は、ステップＳ３４７での配列の結果に基づいて、選択したコンテンツが、サムネイル画像を生成するコンテンツであるか否か、すなわち、既に選択しているコンテンツよりも、表示基準日に近い日を作成日や表示基準日とするコンテンツであるか否かを判定する。
【０３１１】
サムネイル画像表示制御部４１３は、ステップＳ３４８において、選択したコンテンツがサムネイル画像を生成するコンテンツではないと判定した場合、ステップＳ３４２に戻り、以上の処理を繰り返す。
【０３１２】
一方、ステップＳ３４８において、選択したコンテンツがサムネイル画像を生成するコンテンツであると判定した場合、ステップＳ３４９に進み、サムネイル画像表示制御部４１３は、サムネイル画像を生成し、サムネイル画像の表示を行う。サムネイル画像の生成は、例えば、サムネイル画像生成部４１２により行われる。
【０３１３】
ここでの表示の際には、同じ日を作成日とするコンテンツが複数ある場合、それぞれの作成時刻順にサムネイル画像が表示されるようにするための並び替えや、ある１日に、その日を予定表日とするコンテンツと、その日を作成日とするコンテンツがある場合、予定表日のコンテンツが優先表示されるようにするための並び替えなども行われる。
【０３１４】
これにより、例えば、図３１の予定入力領域３０１上で２６日がカーソル５９１により選択されている場合、２６日を表示基準日として、その日を予定表日とするコンテンツのサムネイル画像５１３や、それに近い日（その日）を作成日とするコンテンツのサムネイル画像６１１乃至６１４が作成され、サムネイル領域２４１に表示される。
【０３１５】
以上においては、サムネイル領域２４１は、LCD２８の下方に形成されるものとしたが、図４１Ａ，Ｂに示されるように、LCD２８の右側や左側の所定の範囲に形成されるようにしてもよい。この場合、サムネイル画像は縦方向に配列表示されることになる。
【０３１６】
なお、図４１ＡのLCD２８の左側に形成される予定入力領域３０１には、日単位の予定が表示され、図４１ＢのLCD２８の左側に形成される予定入力領域３０１には、週単位の予定が表示されている。
【０３１７】
また、以上においては、上述したようなデータベースに対するコンテンツの貼り付けは、PDA１において行われるとしたが、この他、携帯電話機やノートブック型のパーソナルコンピュータなど、各種の機器において行われるようにしてもよい。
【０３１８】
上述した一連の処理は、ハードウェアにより実行させることもできるが、ソフトウエアにより実行させることもできる。
【０３１９】
一連の処理をソフトウエアにより実行させる場合には、そのソフトウエアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０３２０】
この記録媒体は、図５に示されるように、装置本体とは別に、ユーザにプログラムを提供するために配布される、プログラムが記録されているMS３やCF４などよりなるパッケージメディアにより構成されるだけでなく、装置本体に予め組み込まれた状態でユーザに提供される、プログラムが記録されているROM１３２や記憶部１３９などで構成される。
【０３２１】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【０３２２】
【図１】本体部に対して表示部を閉じた状態のPDAの外観の例を示す斜視図である。
【図２】本体部に対して表示部を開いた状態のPDAの外観の例を示す斜視図である。
【図３】PDAの背面側の外観の例を示す斜視図である。
【図４】PDAの背面側の他の外観の例を示す斜視図である。
【図５】PDAの内部構成の例を示すブロック図である。
【図６】メイン画面の例を示す図である。
【図７】メモの作成画面の例を示す図である。
【図８】メモの作成画面の他の例を示す図である。
【図９】メモの作成画面のさらに他の例を示す図である。
【図１０】メモの作成画面の例を示す図である。
【図１１】コンテンツの表示画面の例を示す図である。
【図１２】図１０の画面を構成する階層の例を示す図である。
【図１３】図９のサムネイル表示領域の詳細を示す図である。
【図１４】予定表の作成画面の例を示す図である。
【図１５】予定表の作成画面の他の例を示す図である。
【図１６】予定表の作成画面のさらに他の例を示す図である。
【図１７】予定表の作成画面の例を示す図である。
【図１８】予定表の作成画面の例を示す図である。
【図１９】図１７の画面を構成する階層の例を示す図である。
【図２０】PDAに用意されるソフトウエア構成の例を示すブロック図である。
【図２１】データベース構成情報の例を示す図である。
【図２２】機能構成例を示すブロック図である。
【図２３】データベース処理ソフトウエアのデータベース作成処理について説明するフローチャートである。
【図２４】サムネイル表示ソフトウエアの表示制御処理について説明するフローチャートである。
【図２５】コンテンツ処理ソフトウエアの再生処理について説明するフローチャートである。
【図２６】予定表の作成画面の例を示す図である。
【図２７】予定表の作成画面の他の例を示す図である。
【図２８】メモの作成画面の例を示す図である。
【図２９】メモの詳細画面の例を示す図である。
【図３０】予定表日の選択画面の例を示す図である。
【図３１】予定表の月単位の作成画面の例を示す図である。
【図３２】サムネイル表示領域の表示の例を示す図である。
【図３３】サムネイル表示領域の表示の他の例を示す図である。
【図３４】予定表の週単位の作成画面の例を示す図である。
【図３５】他の機能構成例を示すブロック図である。
【図３６】メモのコンテンツのデータ構造の例を示す図である。
【図３７】静止画コンテンツのデータ構造の例を示す図である。
【図３８】コンテンツ処理ソフトウエアの登録処理について説明するフローチャートである。
【図３９】データベース処理ソフトウエアの表示処理について説明するフローチャートである。
【図４０】サムネイル表示ソフトウエアの表示処理について説明するフローチャートである。
【図４１】サムネイル表示領域の他の表示例を示す図である。
【符号の説明】
【０３２３】
１  PDA，  ２  スタイラス，  ３６１  データベース処理ソフトウエア群，  ３６２  コンテンツ処理ソフトウエア群，  ３６３  サムネイル表示ソフトウエア，  ４０１  データベース構成情報管理部，  ４０２  データベース表示制御部，  ４０３  再生要求部，  ４０４  表示要求部，  ４１１  検索部，  ４１２  サムネイル画像生成部，  ４１３  サムネイル画像表示制御部，  ４１４  再生要求部，  ６５１  コンテンツ管理部
【図１】
2005228086.tif 000003
【図２】
2005228086.tif 000004
【図３】
2005228086.tif 000005
【図４】
2005228086.tif 000006
【図５】
2005228086.tif 000007
【図６】
2005228086.tif 000008
【図７】
2005228086.tif 000009
【図８】
2005228086.tif 000010
【図９】
2005228086.tif 000011
【図１０】
2005228086.tif 000012
【図１１】
2005228086.tif 000013
【図１２】
2005228086.tif 000014
【図１３】
2005228086.tif 000015
【図１４】
2005228086.tif 000016
【図１５】
2005228086.tif 000017
【図１６】
2005228086.tif 000018
【図１７】
2005228086.tif 000019
【図１８】
2005228086.tif 000020
【図１９】
2005228086.tif 000021
【図２０】
2005228086.tif 000022
【図２１】
2005228086.tif 000023
【図２２】
2005228086.tif 000024
【図２３】
2005228086.tif 000025
【図２４】
2005228086.tif 000026
【図２５】
2005228086.tif 000027
【図２６】
2005228086.tif 000028
【図２７】
2005228086.tif 000029
【図２８】
2005228086.tif 000030
【図２９】
2005228086.tif 000031
【図３０】
2005228086.tif 000032
【図３１】
2005228086.tif 000033
【図３２】
2005228086.tif 000034
【図３３】
2005228086.tif 000035
【図３４】
2005228086.tif 000036
【図３５】
2005228086.tif 000037
【図３６】
2005228086.tif 000038
【図３７】
2005228086.tif 000039
【図３８】
2005228086.tif 000040
【図３９】
2005228086.tif 000041
【図４０】
2005228086.tif 000042
【図４１】
2005228086.tif 000043